(57)【要約】      （修正有）【課題】近隣セルにおける干渉を管理するために、物理ダウンリンク共有チャネル（ＰＤＳＣＨ）送信のために使用されるリソース・ブロックを割り当てる。【解決手段】第１のセルにおいてＰＤＳＣＨを送信する場合、第２のセルにおける送信による干渉を低減するために、１または複数のガードＲＢを利用する。【選択図】図９
2014180037.tif 000002
【特許請求の範囲】
【請求項１】
少なくとも第１の基地局と第２の基地局とが周波数分割多重（ＦＤＭ）スキームによってリソース・ブロック（ＲＢ）を共有する無線通信ネットワークにおける無線通信のための方法であって、
物理ダウンリンク共有チャネル（ＰＤＳＣＨ）を送信するためのリソース・ブロック（ＲＢ）のセットを、前記第１の基地局によって識別することと、ここで、第２のセルの基地局は、前記識別されたＲＢのセットを用いた送信を制限するようにスケジュールされる、
前記識別されたＲＢのセットの周囲の１または複数のガードＲＢを識別することと、
制限付きで送信される前記識別されたＲＢを用いて、または、前記識別されたＲＢを送信せずに、前記ガードＲＢにおいて、前記第１の基地局または前記第２の基地局のうちの何れかによって、前記ＰＤＳＣＨを送信することと、
を備える方法。
【請求項２】
前記無線通信ネットワークは、ヘテロジニアスなネットワークを備え、
第１のセルと第２のセルとは、異なる電力クラスのタイプからなる、
請求項１に記載の方法。
【請求項３】
前記識別されたＲＢのセットは、局所的なリソース割当によって割り当てられ、
前記ガードＲＢは、前記識別されたＲＢのセットの各側に１または複数のＲＢを備える、
請求項１に記載の方法。
【請求項４】
前記識別されたＲＢのセットは、分散されたリソース割当によって割り当てられ、
前記ガードＲＢは、前記識別されたＲＢのセットの１または複数の別の部位の各側に、１または複数のＲＢを備える、
請求項１に記載の方法。
【請求項５】
前記ガードＲＢを識別するために、前記第２の基地局とネゴシエートすること、をさらに備える請求項１に記載の方法。
【請求項６】
基地局が前記ガードＲＢの数をＵＥへシグナルする必要がないように、ＰＤＳＣＨを送信する場合、前記ガードＲＢを使用することが必須とされる、請求項１に記載の方法。
【請求項７】
ＵＥが、前記ＰＤＳＣＨを送信する場合に使用されるガードＲＢの存在または不在に基づいて、前記ＰＤＳＣＨを復号するために前記ＰＤＳＣＨのために割り当てられたＲＢのセットのすべてまたはサブセットを使用すべきかを判定する、請求項１に記載の方法。
【請求項８】
ＵＥが、前記ＰＤＳＣＨを送信する場合に使用されるガードＲＢの存在または不在に基づいて、ブロードバンド・チャネル推定またはナローバンド・チャネル推定を使用するかを判定する、請求項１に記載の方法。
【請求項９】
前記ガードＲＢの数は、ラジオ・リソース制御（ＲＲＣ）シグナリングによって設定可能である、請求項１に記載の方法。
【請求項１０】
前記ガードＲＢの数は、前記識別されたＲＢのセットにおけるＲＢの数に依存する、請求項１に記載の方法。
【請求項１１】
前記ＰＤＳＣＨを送信することは、システム情報ブロック（ＳＩＢ）、ページング・メッセージ、または応答メッセージｍｓｇ２のうちの少なくとも１つを送信することを備える、請求項１に記載の方法。
【請求項１２】
少なくとも第１の基地局と第２の基地局とが周波数分割多重（ＦＤＭ）スキームによってリソース・ブロック（ＲＢ）を共有するシステムにおける無線通信のための方法であって、
物理ダウンリンク共有チャネル（ＰＤＳＣＨ）を割り当てるためのリソース・ブロック（ＲＢ）のセットを、前記第１の基地局から受信することと、ここで、第２のセルの基地局は、識別されたＲＢのセットを用いた送信を制限するようにスケジュールされる、
前記ＰＤＳＣＨのために割り当てられた前記ＲＢのセットのサブセットのみを用いて前記ＰＤＳＣＨを復号することと、ここで、前記サブセットは、前記ＰＤＳＣＨのために割り当てられた前記ＲＢのセットの何れかの端部に、１または複数のＲＢを含んでいない、
を備える方法。
【請求項１３】
前記無線通信ネットワークは、ヘテロジニアスなネットワークを備え、
第１のセルと第２のセルとは、異なる電力クラスのタイプからなる、
請求項１２に記載の方法。
【請求項１４】
前記ＰＤＳＣＨのために割り当てられたＲＢのセットのサブセットのみを用いて復号することを補償するために、増加された数のＲＢの割り当てを、基地局から受信すること、をさらに備える請求項１２に記載の方法。
【請求項１５】
前記ＰＤＳＣＨのために割り当てられたＲＢのセットのサブセットのみを用いて前記ＰＤＳＣＨを復号することは、前記ＰＤＳＣＨのために割り当てられたＲＢのセットの何れかの端部における１または複数のＲＢのためのログ尤度比（ＬＬＲ）をパンクチャすることを備える、請求項１２に記載の方法。
【請求項１６】
前記ＰＤＳＣＨを送信する場合に使用されるガードＲＢの存在または不在に基づいて、前記ＰＤＳＣＨを復号するために前記ＰＤＳＣＨのために割り当てられたＲＢのセットのすべてまたはサブセットを使用すべきかを判定すること、をさらに備える請求項１２に記載の方法。
【請求項１７】
少なくとも第１の基地局と第２の基地局とが周波数分割多重（ＦＤＭ）スキームによってリソース・ブロック（ＲＢ）を共有する無線通信ネットワークにおける無線通信のための装置であって、
物理ダウンリンク共有チャネル（ＰＤＳＣＨ）を送信するためのリソース・ブロック（ＲＢ）のセットを、前記第１の基地局によって識別する手段と、ここで、第２のセルの基地局は、前記識別されたＲＢのセットを用いた送信を制限するようにスケジュールされる、
前記識別されたＲＢのセットの周囲の１または複数のガードＲＢを識別する手段と、
制限付きで送信される前記識別されたＲＢを用いて、または、前記識別されたＲＢを送信せずに、前記ガードＲＢにおいて、前記第１の基地局または前記第２の基地局のうちの何れかによって、前記ＰＤＳＣＨを送信する手段と、
を備える装置。
【請求項１８】
前記無線通信ネットワークは、ヘテロジニアスなネットワークを備え、
第１のセルと第２のセルとは、異なる電力クラスのタイプからなる、
請求項１７に記載の装置。
【請求項１９】
前記識別されたＲＢのセットは、局所的なリソース割当によって割り当てられ、
前記ガードＲＢは、前記識別されたＲＢのセットの各側に１または複数のＲＢを備える、
請求項１７に記載の装置。
【請求項２０】
前記識別されたＲＢのセットは、分散されたリソース割当によって割り当てられ、
前記ガードＲＢは、前記識別されたＲＢのセットの１または複数の別の部位の各側に、１または複数のＲＢを備える、
請求項１７に記載の装置。
【請求項２１】
前記ガードＲＢを識別するために、前記第２の基地局とネゴシエートする手段、をさらに備える請求項１７に記載の装置。
【請求項２２】
基地局が前記ガードＲＢの数をＵＥへシグナルする必要がないように、ＰＤＳＣＨを送信する場合、前記ガードＲＢを使用することが必須とされる、請求項１７に記載の装置。
【請求項２３】
ＵＥが、前記ＰＤＳＣＨを送信する場合に使用されるガードＲＢの存在または不在に基づいて、前記ＰＤＳＣＨを復号するために前記ＰＤＳＣＨのために割り当てられたＲＢのセットのすべてまたはサブセットを使用すべきかを判定する、請求項１７に記載の装置。
【請求項２４】
ＵＥが、前記ＰＤＳＣＨを送信する場合に使用されるガードＲＢの存在または不在に基づいて、ブロードバンド・チャネル推定またはナローバンド・チャネル推定を使用するかを判定する、請求項１７に記載の装置。
【請求項２５】
前記ガードＲＢの数は、ラジオ・リソース制御（ＲＲＣ）シグナリングによって設定可能である、請求項１７に記載の装置。
【請求項２６】
前記ガードＲＢの数は、前記識別されたＲＢのセットにおけるＲＢの数に依存する、請求項１７に記載の装置。
【請求項２７】
前記ＰＤＳＣＨを送信する手段は、システム情報ブロック（ＳＩＢ）、ページング・メッセージ、または応答メッセージｍｓｇ２のうちの少なくとも１つを送信する手段を備える、請求項１７に記載の装置。
【請求項２８】
少なくとも第１の基地局と第２の基地局とが周波数分割多重（ＦＤＭ）スキームによってリソース・ブロック（ＲＢ）を共有するシステムにおける無線通信のための装置であって、
物理ダウンリンク共有チャネル（ＰＤＳＣＨ）を割り当てるためのリソース・ブロック（ＲＢ）のセットを、前記第１の基地局から受信する手段と、ここで、第２のセルの基地局は、識別されたＲＢのセットを用いた送信を制限するようにスケジュールされる、
前記ＰＤＳＣＨのために割り当てられたＲＢのセットのサブセットのみを用いて前記ＰＤＳＣＨを復号する手段と、ここで、前記サブセットは、前記ＰＤＳＣＨのために割り当てられた前記ＲＢのセットの何れかの端部に、１または複数のＲＢを含んでいない、
を備える装置。
【請求項２９】
前記無線通信ネットワークは、ヘテロジニアスなネットワークを備え、
第１のセルと第２のセルとは、異なる電力クラスのタイプからなる、
請求項２８に記載の装置。
【請求項３０】
前記ＰＤＳＣＨのために割り当てられたＲＢのセットのサブセットのみを用いて復号することを補償するために、増加された数のＲＢの割り当てを、基地局から受信する手段、をさらに備える請求項２８に記載の装置。
【請求項３１】
前記ＰＤＳＣＨのために割り当てられたＲＢのセットのサブセットのみを用いて前記ＰＤＳＣＨを復号する手段は、前記ＰＤＳＣＨのために割り当てられたＲＢのセットの何れかの端部における１または複数のＲＢのためのログ尤度比（ＬＬＲ）をパンクチャする手段を備える、請求項２８に記載の装置。
【請求項３２】
前記ＰＤＳＣＨを送信する場合に使用されるガードＲＢの存在または不在に基づいて、前記ＰＤＳＣＨを復号するために前記ＰＤＳＣＨのために割り当てられたＲＢのセットのすべてまたはサブセットを使用すべきかを判定する手段、をさらに備える請求項２８に記載の装置。
【請求項３３】
少なくとも第１の基地局と第２の基地局とが周波数分割多重（ＦＤＭ）スキームによってリソース・ブロック（ＲＢ）を共有する無線通信ネットワークにおける無線通信のための装置であって、
物理ダウンリンク共有チャネル（ＰＤＳＣＨ）を送信するためのリソース・ブロック（ＲＢ）のセットを、前記第１の基地局によって識別することと、ここで、第２のセルの基地局は、前記識別されたＲＢのセットを用いた送信を制限するようにスケジュールされる、
前記識別されたＲＢのセットの周囲の１または複数のガードＲＢを識別することと、
制限付きで送信される前記識別されたＲＢを用いて、または、前記識別されたＲＢを送信せずに、前記ガードＲＢにおいて、前記第１の基地局または前記第２の基地局のうちの何れかによって、前記ＰＤＳＣＨを送信することと、
を実行するように構成された少なくとも１つのプロセッサと、
前記少なくとも１つのプロセッサに接続されたメモリと、
を備える装置。
【請求項３４】
少なくとも第１の基地局と第２の基地局とが周波数分割多重（ＦＤＭ）スキームによってリソース・ブロック（ＲＢ）を共有するシステムにおける無線通信のための装置であって、
物理ダウンリンク共有チャネル（ＰＤＳＣＨ）を割り当てるためのリソース・ブロック（ＲＢ）のセットを、前記第１の基地局から受信することと、ここで、第２のセルの基地局は、識別されたＲＢのセットを用いた送信を制限するようにスケジュールされる、
前記ＰＤＳＣＨのために割り当てられた前記ＲＢのセットのサブセットのみを用いて前記ＰＤＳＣＨを復号することと、ここで、前記サブセットは、前記ＰＤＳＣＨのために割り当てられたＲＢのセットの何れかの端部に、１または複数のＲＢを含んでいない、
を実行するように構成された少なくとも１つのプロセッサと、
前記少なくとも１つのプロセッサに接続されたメモリと、
を備える装置。
【請求項３５】
少なくとも第１の基地局と第２の基地局とが周波数分割多重（ＦＤＭ）スキームによってリソース・ブロック（ＲＢ）を共有する無線通信ネットワークにおける無線通信のための、格納された命令群を有するコンピュータ読取可能な媒体を備えるコンピュータ・プログラム製品であって、
前記命令群は、
物理ダウンリンク共有チャネル（ＰＤＳＣＨ）を送信するためのリソース・ブロック（ＲＢ）のセットを、前記第１の基地局によって識別することと、ここで、第２のセルの基地局は、前記識別されたＲＢのセットを用いた送信を制限するようにスケジュールされる、
前記識別されたＲＢのセットの周囲の１または複数のガードＲＢを識別することと、
制限付きで送信される前記識別されたＲＢを用いて、または、前記識別されたＲＢを送信せずに、前記ガードＲＢにおいて、前記第１の基地局または前記第２の基地局のうちの何れかによって、前記ＰＤＳＣＨを送信することと、
のために１または複数のプロセッサによって実行可能である、
コンピュータ・プログラム製品。
【請求項３６】
少なくとも第１の基地局と第２の基地局とが周波数分割多重（ＦＤＭ）スキームによってリソース・ブロック（ＲＢ）を共有する無線通信ネットワークにおける無線通信のための、格納された命令群を有するコンピュータ読取可能な媒体を備えるコンピュータ・プログラム製品であって、
前記命令群は、
物理ダウンリンク共有チャネル（ＰＤＳＣＨ）を割り当てるためのリソース・ブロック（ＲＢ）のセットを、前記第１の基地局から受信することと、ここで、第２のセルの基地局は、識別されたＲＢのセットを用いた送信を制限するようにスケジュールされる、
前記ＰＤＳＣＨのために割り当てられた前記ＲＢのセットのサブセットのみを用いて前記ＰＤＳＣＨを復号することと、ここで、前記サブセットは、前記ＰＤＳＣＨのために割り当てられた前記ＲＢのセットの何れかの端部に、１または複数のＲＢを含んでいない、
のために１または複数のプロセッサによって実行可能である、
コンピュータ・プログラム製品。
【発明の詳細な説明】
【関連出願に対する相互参照】
【０００１】
本願は、全体が本明細書において参照によって明確に組み込まれている２０１０年３月２６日出願の「ガード・リソース・ブロック（ＲＢ）を用いた物理ダウンリンク共有チャネル（ＰＤＳＣＨ）保護のための装置および方法」（APPARATUS AND METHOD FOR PHYSICAL DOWNLINK SHARED CHANNEL (PDSCH) PROTECTION USING GUARD RESOURCE BLOCKS (RBs)）と題された米国仮出願６１／３１８，１７１号に対する優先権を主張する。
【技術分野】
【０００２】
本開示は、一般に、通信に関し、さらに詳しくは、送信電力を制御することによって干渉を管理するための技術に関する。
【背景技術】
【０００３】
無線通信ネットワークは、例えば音声、ビデオ、パケット・データ、メッセージング、ブロードキャスト等のようなさまざまな通信コンテンツを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクで１または複数のＵＥへデータを送信し、アップリンクで１または複数のＵＥからデータを受信する。ダウンリンクにおいては、基地局からのデータ送信が、近隣の基地局からのデータ送信による干渉を観察しうる。アップリンクにおいては、ＵＥからのデータ送信が、近隣の基地局と通信する他のＵＥからのデータ送信による干渉を観察しうる。ダウンリンクとアップリンクとの両方について、干渉元の基地局および干渉元のＵＥによる干渉が、パフォーマンスを低下させうる。
【発明の概要】
【０００６】
ある態様によれば、少なくとも第１の基地局と第２の基地局とが周波数分割多重（ＦＤＭ）スキームによってリソース・ブロック（ＲＢ）を共有する無線通信ネットワークにおける無線通信のための方法が提供される。この方法は一般に、物理ダウンリンク共有チャネル（ＰＤＳＣＨ）を送信するためのリソース・ブロック（ＲＢ）のセットを、第１の基地局によって識別することと、ここで、第２のセルの基地局は、識別されたＲＢのセットを用いた送信を制限するようにスケジュールされる、識別されたＲＢのセットの周囲の１または複数のガードＲＢを識別することと、制限付きで送信される識別されたＲＢを用いて、または、識別されたＲＢを送信せずに、ガードＲＢにおいて、第１の基地局または第２の基地局のうちの何れかによって、ＰＤＳＣＨを送信することと、を含み、無線通信ネットワークにおける干渉を低減する方法が提供される。
【０００７】
ある態様によれば、少なくとも第１の基地局と第２の基地局とが周波数分割多重（ＦＤＭ）スキームによってリソース・ブロック（ＲＢ）を共有するシステムにおける無線通信のための方法。この方法は一般に、物理ダウンリンク共有チャネル（ＰＤＳＣＨ）を割り当てるためのリソース・ブロック（ＲＢ）のセットを、第１の基地局から受信することと、ここで、第２のセルの基地局は、識別されたＲＢのセットを用いた送信を制限するようにスケジュールされる、ＰＤＳＣＨのために割り当てられたＲＢのセットのサブセットのみを用いてＰＤＳＣＨを復号することと、ここで、サブセットは、ＰＤＳＣＨのために割り当てられたＲＢのセットの何れかの端部に、１または複数のＲＢを含んでいない、を備える。
【０００８】
ある態様によれば、少なくとも第１の基地局と第２の基地局とが周波数分割多重（ＦＤＭ）スキームによってリソース・ブロック（ＲＢ）を共有する無線通信ネットワークにおける無線通信のための装置が提供される。この装置は一般に、物理ダウンリンク共有チャネル（ＰＤＳＣＨ）を送信するためのリソース・ブロック（ＲＢ）のセットを、第１の基地局によって識別する手段と、ここで、第２のセルの基地局は、識別されたＲＢのセットを用いた送信を制限するようにスケジュールされる、識別されたＲＢのセットの周囲の１または複数のガードＲＢを識別する手段と、制限付きで送信される識別されたＲＢを用いて、または、識別されたＲＢを送信せずに、ガードＲＢにおいて、第１の基地局または第２の基地局のうちの何れかによって、ＰＤＳＣＨを送信する手段とを備えており、無線通信ネットワークにおける干渉を低減する。
【０００９】
ある態様によれば、少なくとも第１の基地局と第２の基地局とが周波数分割多重（ＦＤＭ）スキームによってリソース・ブロック（ＲＢ）を共有するシステムにおける無線通信のための装置。この装置は一般に、物理ダウンリンク共有チャネル（ＰＤＳＣＨ）を割り当てるためのリソース・ブロック（ＲＢ）のセットを、第１の基地局から受信する手段と、ここで、第２のセルの基地局は、識別されたＲＢのセットを用いた送信を制限するようにスケジュールされる、ＰＤＳＣＨのために割り当てられたＲＢのセットのサブセットのみを用いてＰＤＳＣＨを復号する手段と、ここで、サブセットは、ＰＤＳＣＨのために割り当てられたＲＢのセットの何れかの端部に、１または複数のＲＢを含んでいない、を含む。
【００１０】
ある態様によれば、少なくとも第１の基地局と第２の基地局とが周波数分割多重（ＦＤＭ）スキームによってリソース・ブロック（ＲＢ）を共有する無線通信ネットワークにおける無線通信のための装置が提供される。この装置は一般に、物理ダウンリンク共有チャネル（ＰＤＳＣＨ）を送信するためのリソース・ブロック（ＲＢ）のセットを、第１の基地局によって識別し、ここで、第２のセルの基地局は、識別されたＲＢのセットを用いた送信を制限するようにスケジュールされる、識別されたＲＢのセットの周囲の１または複数のガードＲＢを識別し、制限付きで送信される識別されたＲＢを用いて、または、識別されたＲＢを送信せずに、ガードＲＢにおいて、第１の基地局または第２の基地局のうちの何れかによって、ＰＤＳＣＨを送信するように構成された少なくとも１つのプロセッサと、少なくとも１つのプロセッサに接続されたメモリとを含む。
【００１１】
ある態様によれば、少なくとも第１の基地局と第２の基地局とが周波数分割多重（ＦＤＭ）スキームによってリソース・ブロック（ＲＢ）を共有するシステムにおける無線通信のための装置。この装置は一般に、物理ダウンリンク共有チャネル（ＰＤＳＣＨ）を割り当てるためのリソース・ブロック（ＲＢ）のセットを、第１の基地局から受信し、ここで、第２のセルの基地局は、識別されたＲＢのセットを用いた送信を制限するようにスケジュールされる、ＰＤＳＣＨのために割り当てられたＲＢのセットのサブセットのみを用いてＰＤＳＣＨを復号し、ここで、サブセットは、ＰＤＳＣＨのために割り当てられたＲＢのセットの何れかの端部に、１または複数のＲＢを含んでいない、ように構成された少なくとも１つのプロセッサと、少なくとも１つのプロセッサに接続されたメモリと、を含む。
【００１２】
ある態様によれば、少なくとも第１の基地局と第２の基地局とが周波数分割多重（ＦＤＭ）スキームによってリソース・ブロック（ＲＢ）を共有する無線通信ネットワークにおける無線通信のための命令群を備えたコンピュータ読取可能な媒体を備えるコンピュータ・プログラム製品が提供される。これら命令群は一般に、物理ダウンリンク共有チャネル（ＰＤＳＣＨ）を送信するためのリソース・ブロック（ＲＢ）のセットを、第１の基地局によって識別することと、ここで、第２のセルの基地局は、識別されたＲＢのセットを用いた送信を制限するようにスケジュールされる、識別されたＲＢのセットの周囲の１または複数のガードＲＢを識別することと、制限付きで送信される識別されたＲＢを用いて、または、識別されたＲＢを送信せずに、ガードＲＢにおいて、第１の基地局または第２の基地局のうちの何れかによって、ＰＤＳＣＨを送信することとのために１または複数のプロセッサによって実行可能であり、無線通信ネットワークにおける干渉を低減する命令群が提供される。
【００１３】
ある態様によれば、少なくとも第１の基地局と第２の基地局とが周波数分割多重（ＦＤＭ）スキームによってリソース・ブロック（ＲＢ）を共有する無線通信ネットワークにおける無線通信のための命令群を備えたコンピュータ読取可能な媒体を備えたコンピュータ・プログラム製品が提供される。これら命令群は一般に、物理ダウンリンク共有チャネル（ＰＤＳＣＨ）を割り当てるためのリソース・ブロック（ＲＢ）のセットを、第１の基地局から受信することと、ここで、第２のセルの基地局は、識別されたＲＢのセットを用いた送信を制限するようにスケジュールされる、ＰＤＳＣＨのために割り当てられたＲＢのセットのサブセットのみを用いてＰＤＳＣＨを復号することと、ここで、サブセットは、ＰＤＳＣＨのために割り当てられたＲＢのセットの何れかの端部に、１または複数のＲＢを含んでいない、のために１または複数のプロセッサによって実行可能である。
【００１４】
本開示のさまざまな態様および特徴が、以下にさらに詳細に記載される。
【図面の簡単な説明】
【００１５】
【図１】図１は、無線通信ネットワークを示す。
【図２】図２は、基地局およびＵＥのブロック図を示す。
【図３】図３は、周波数分割多重（ＦＤＤ）のためのフレーム構造を示す。
【図４】図４は、ダウンリンクのための２つの典型的なサブフレーム・フォーマットを示す。
【図５】図５は、アップリンクのための典型的なサブフレーム・フォーマットを示す。
【図６】図６は、時分割多重（ＴＤＤ）のためのフレーム構造を示す。
【図７Ａ】図７Ａは、本開示のある態様を用いて対処されうる、隣接セルにおいて利用されるリソース・ブロック（ＲＢ）の潜在的な干渉の例を示す。
【図７Ｂ】図７Ｂは、本開示のある態様を用いて対処されうる、隣接セルにおいて利用されるリソース・ブロック（ＲＢ）の潜在的な干渉の例を示す。
【図８】図８は、本開示のある態様にしたがう、基地局とＵＥとの機能構成要素の例を示す。
【図９】図９は、本開示のある態様にしたがって、ＢＳによって実行されうる動作の例を例示する。
【図１０】図１０は、本開示のある態様にしたがうリソース・ブロック（ＲＢ）割当の例を示す。
【図１１】図１１は、本開示のある態様にしたがって、ＵＥによって実行されうる動作の例を示す。
【図１２】図１２は、本開示のある態様にしたがうリソース・ブロック（ＲＢ）割当の例を示す。
【発明を実施するための形態】
【００１６】
本明細書では、潜在的に干渉を被るリソース・ブロック（ＲＢ）を割り当て、処理することによって、干渉を管理する技術が記載される。ＲＢは、周波数分割多重（ＦＤＭ）スキームによって、少なくとも第１の基地局と第２の基地局とによって共有されうる。
【００１７】
ある態様によれば、第１の基地局は、物理ダウンリンク共有チャネルを送信するために使用されるＲＢのセットの周囲の１または複数のガードＲＢを利用しうる。ＰＤＳＣＨは、制限付きの送信か、無送信によって、ガードＲＢにおいて、第１の基地局または第２の基地局のうちの何れかによって送信されうる。ＰＤＳＣＨを送信する場合、このようにして、干渉が低減されうる。
【００１８】
ある態様によれば、第１の基地局は、物理ダウンリンク共有チャネルを送信するために使用されるＲＢのセットの周囲の１または複数のガードＲＢを利用しうる。ＰＤＳＣＨは、制限付きの送信か、無送信によって、ガードＲＢにおいて、第１の基地局または第２の基地局のうちの何れかによって送信されうる。ＰＤＳＣＨを送信する場合、このようにして、干渉が低減されうる。
【００１９】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、周波数分割多重（ＦＤＤ）と時分割多重（ＴＤＤ）との両方において、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された組織からの文書に記載されている。ｃｄｍａ２０００およびＵＭＢは、「第３世代パートナシップ計画２」（３ＧＰＰ２）と命名された組織からの文書に記載されている。本明細書で記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００２０】
図１は、無線通信ネットワーク１００を示す。これは、ＬＴＥネットワークまたはその他いくつかの無線ネットワークでありうる。本明細書で示された干渉管理技術は、このようなシステムにおいて使用されうる。
【００２１】
無線ネットワーク１００は、多くのイボルブド・ノードＢ（ｅＮＢ）１１０およびその他のネットワーク・エンティティを含みうる。ｅＮＢは、ＵＥと通信するエンティティであり、基地局、ノードＢ、アクセス・ポイント等とも称されうる。おのおののｅＮＢは、特定の地理的エリアのために通信有効範囲を提供する。３ＧＰＰでは、用語「セル」は、この用語が使用される文脈に依存して、この有効通信範囲エリアにサービス提供しているｅＮＢおよび／またはｅＮＢサブシステムからなる有効通信範囲エリアを称しうる。
【００２２】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ）による無制限のアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢ（ＨｅＮＢ）と称されうる。図１に示す例では、ｅＮＢ１１０ａは、マクロ・セル１０２ａのためのマクロｅＮＢであり、ｅＮＢ１１０ｂは、ピコ・セル１０２ｂのためのピコｅＮＢであり、ｅＮＢ１１０ｃは、フェムト・セル１０２ｃのためのフェムトｅＮＢでありうる。ｅＮＢは、１または複数（例えば３つ）のセルをサポートしうる。「ｅＮＢ」、「基地局」、および「セル」という用語は、本明細書において置換可能に使用されうる。
【００２３】
無線ネットワーク１００はさらに、リレーをも含みうる。リレーは、データの伝送を上流局（例えば、ｅＮＢまたはＵＥ）から受信し、データの伝送を下流局（例えば、ＵＥまたはｅＮＢ）へ送信するエンティティである。リレーまた、他のＵＥのための送信を中継するＵＥでもありうる。図１に示される例において、リレー１１０ｄは、ｅＮＢ１１０ａとＵＥ１２０ｄとの間の通信を容易にするために、バックホール・リンクを介してマクロｅＮＢ１１０ａと、アクセス・リンクを介してＵＥ１２０ｄと通信しうる。リレーはまた、リレーｅＮＢ、リレー局、リレー基地局等とも称されうる。
【００２４】
無線ネットワーク１００はまた、例えば、マクロｅＮＢ、ピコｅＮＢ、フェムトｅＮＢ、リレーｅＮＢ等のような異なるタイプのｅＮＢを含むヘテロジニアスなネットワークでありうる。これら異なるタイプのｅＮＢは、異なる送信電力レベル、異なる有効通信範囲サイズ、および、無線ネットワーク１００内の干渉に対する異なるインパクトを有しうる。例えば、マクロｅＮＢは、高い送信電力レベル（例えば、５乃至４０ワット）を有する一方、ピコｅＮＢ、フェムトｅＮＢ、およびリレーは、低い送信電力レベル（例えば、０．１乃至２ワット）を有しうる。
【００２５】
ネットワーク・コントローラ１３０は、ｅＮＢのセットに接続しており、これらｅＮＢに対して調整および制御を提供しうる。ネットワーク・コントローラ１３０は、単一のネットワーク・エンティティであるか、ネットワーク・エンティティの集合でありうる。ネットワーク・コントローラ１３０は、バックホールを介してｅＮＢと通信しうる。ｅＮＢはまた、例えば、ダイレクトに、または、無線または有線のバックホールを介して非ダイレクトに、互いに通信しうる。
【００２６】
無線ネットワーク１００の全体にわたって、多くのＵＥ１２０が分布しうる。そして、おのおののＵＥは、固定式または移動式でありうる。ＵＥは、移動局、端末、アクセス端末、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。ＵＥは、マクロｅＮＢ、ピコｅＮＢ、フェムトｅＮＢ、リレー等と通信することができうる。ＵＥはまた、別のＵＥとピア・トゥ・ピア（Ｐ２Ｐ）通信することができうる。図１に示された例では、ＵＥ１２０ｅ，１２０ｆが、無線ネットワーク１００内のｅＮＢと通信することなく、互いにダイレクトに通信しうる。Ｐ２Ｐ通信は、ＵＥ間のローカルな通信のために、無線ネットワーク１００における負荷を低減しうる。また、ＵＥ間のＰ２Ｐ通信によって、１つのＵＥは、他のＵＥのためのリレーとして動作できるようになるので、他のＵＥが、ｅＮＢに接続することが可能となる。
【００２７】
図１では、２つの矢印を持つ実線が、ダウンリンクおよび／またはアップリンクでＵＥにサービス提供するように指定されたｅＮＢであるサービス提供ｅＮＢと、ＵＥとの間の所望の送信を示す。２つの矢印を持つ破線は、ＵＥとｅＮＢとの間の干渉送信を示す。
【００２８】
ＵＥは、複数のｅＮＢの有効通信範囲内に存在しうる。これらのｅＮＢのうちの１つが、ＵＥにサービス提供するために選択されうる。サービス提供ｅＮＢは、例えば受信信号強度、受信信号品質、経路喪失等のようなさまざまな基準に基づいて選択されうる。受信信号品質は、信号対雑音および干渉比（ＳＩＮＲ：signal-to-noise-and-interference ratio）、または基準信号受信品質（reference signal received quality）、またはその他のメトリックによって定量化されうる。
【００２９】
ＵＥは、１または複数の干渉元のｅＮＢからの高い干渉を観察しうる支配的な干渉シナリオで動作しうる。支配的な干渉シナリオは、制限された関連付けによって生じうる。例えば、図１では、ＵＥ１２０ｃが、フェムトｅＮＢ１１０ｃの近くにあり、ｅＮＢ１１０ｃに関し高い受信電力を有しうる。しかしながら、ＵＥ１２０ｃは、制限された関連付けによって、フェムトｅＮＢ１１０ｃへアクセスすることができず、低い受信電力のマクロｅＮＢ１１０ａに接続しうる。ＵＥ１２０ｃは、その後、ダウンリンクで、フェムトｅＮＢ１１０ｃからの高い干渉を観察し、アップリンクで、フェムトｅＮＢ１１０ｃへの高い干渉を引き起こしうる。
【００３０】
支配的な干渉シナリオはまた、範囲拡張によっても生じうる。これは、経路喪失が低く、かつ、ＵＥによって検出されたすべてのｅＮＢの中でも恐らくはＳＩＮＲが低いｅＮＢにＵＥが接続するシナリオである。例えば、図１では、ＵＥ１２０ｂは、マクロｅＮＢ１１０ａよりもピコｅＮＢ１１０ｂの近くに配置され、ピコｅＮＢ１１０ｂに関し低い経路喪失しか有さない。しかしながら、ＵＥ１２０ｂは、マクロｅＮＢ１１０ａと比較してピコｅＮＢ１１０ｂの送信電力レベルが低いことによって、ピコｅＮＢ１１０ｂについて、マクロｅＮＢ１１０ａよりも低い受信電力しか有さない。それにも関わらず、ＵＥ１２０ｂは、低い経路喪失によって、ピコｅＮＢ１１０ｂに接続することが望ましいことがありうる。この結果、ＵＥ１２０ｂにとって、所与のデータ・レートの場合、無線ネットワークへの干渉が低くなりうる。
【００３１】
支配的な干渉シナリオにおける通信をサポートするために、さまざまな干渉管理技術が使用されうる。これら干渉管理技術は、（セル間干渉調整（ＩＣＩＣ）とも称されうる）準静的なリソース分割、動的なリソース割当、および干渉除去等を含みうる。準静的なリソース分割は、異なるセルへリソースを割り当てるために（例えば、バックホール・ネゴシエーションによって）実行されうる。これらリソースは、サブフレーム、サブ帯域、キャリア、リソース・ブロック、送信電力等を備えうる。おのおののセルは、他のセルまたはこれらのＵＥからの干渉がほとんど観察されないか、または、まったく観察されないリソースのセットを割り当てられうる。動的なリソース割当はまた、ダウンリンクおよび／またはアップリンクで強い干渉を観察しているＵＥのための通信をサポートするために必要とされるようなリソースを割り当てるために、（例えば、セルとＵＥとの間でオーバ・ザ・エア・メッセージを交換することによって）実行されうる。干渉除去はまた、干渉元のセルからの干渉を緩和するためにＵＥによって実行されうる。
【００３２】
無線ネットワーク１００は、ダウンリンクおよびアップリンクにおけるデータ送信のために、ハイブリッド自動再送信（ＨＡＲＱ）をサポートしうる。ＨＡＲＱの場合、パケットが受信機（例えば、ＵＥ）によって正確に復号されるか、または、その他の終了条件に到達するまで、送信機（例えば、ｅＮＢ）は、パケットの１または複数の伝送を送りうる。同期ＨＡＲＱの場合、パケットのすべての送信が、Ｑ番目毎のサブフレームを含む単一のＨＡＲＱインタレースのサブフレームで送信されうる。ここで、Ｑは、４，６，８，１０またはその他のいくつかの値に等しくなりうる。非同期ＨＡＲＱの場合、パケットの送信はそれぞれ、任意のサブフレームで送られうる。
【００３３】
無線ネットワーク１００は、同期動作または非同期動作を支援しうる。同期動作の場合、ｅＮＢは、同じようなフレーム・タイミングを有し、異なるｅＮＢからの送信は、時間的にほぼ揃えられうる。非同期動作の場合、ｅＮＢは、異なるフレーム・タイミングを有し、異なるｅＮＢからの送信は、時間的に揃えられない場合がある。
【００３４】
無線ネットワーク１００は、ＦＤＤまたはＴＤＤを利用しうる。ＦＤＤの場合、ダウンリンクとアップリンクは、個別の周波数チャネルを割り当てられ、ダウンリンク送信およびアップリンク送信は、２つの周波数チャネルで同時に送信されうる。ＴＤＤの場合、アップリンクとダウンリンクとが同じ周波数チャネルを共有し、ダウンリンク送信およびアップリンク送信が、異なる期間において、同じ周波数チャネルで送信されうる。
【００３５】
図２は、図１における基地局／ｅＮＢのうちの１つ、およびＵＥのうちの１つでありうる、基地局／ｅＮＢ１１０とＵＥ１２０との設計のブロック図を示す。図２に示されるさまざまな構成要素（例えば、プロセッサ）は、本明細書において記載された干渉管理技術を実行するために利用されうる。例示されるように、基地局１１０およびＵＥは、リソース割当情報２０２を交換しうる。以下に詳しく記載されるであろうが、リソース割当情報２０２は、ＰＤＳＣＨを送信するために基地局１１０によって使用されるべきＲＢを示すインジケーションを含みうる。そして、ある場合には、ＰＤＳＣＨを送信する場合に使用するガードＲＢを示しうる。
【００３６】
基地局１１０は、Ｔ個のアンテナ２３４ａ乃至２３４ｔを備え、ＵＥ１２０は、Ｒ個のアンテナ２５２ａ乃至２５２ｒを備えうる。ここで、一般に、Ｔ≧１およびＲ≧１である。
【００３７】
基地局１１０では、送信プロセッサ２２０が、データ・ソース２１２から１または複数のＵＥのためのデータを、コントローラ／プロセッサ２４０から制御情報を受信しうる。プロセッサ２２０は、データおよび制御情報を処理（例えば、符号化および変調）し、データ・シンボルおよび制御シンボルをそれぞれ取得する。プロセッサ２２０はさらに、同期信号、基準信号等のための基準シンボルを生成しうる。送信（ＴＸ）複数入力複数出力（ＭＩＭＯ）プロセッサ２３０は、適用可能であれば、データ・シンボル、制御シンボル、および／または、基準シンボルに空間処理（例えば、プリコーディング）を実行し、Ｔ個の出力シンボル・ストリームをＴ個の変調器（ＭＯＤ）２３２ａ乃至２３２ｔに提供しうる。おのおのの変調器２３２は、（例えば、ＯＦＤＭ等のために）それぞれの出力シンボル・ストリームを処理して、出力サンプル・ストリームを得る。おのおのの変調器２３２はさらに、出力サンプル・ストリームを処理（例えば、アナログ変換、増幅、フィルタ、およびアップコンバート）し、ダウンリンク信号を取得する。Ｔ個の変調器２３２ａ乃至２３２ｔからのダウンリンク信号は、Ｔ個のアンテナ２３４ａ乃至２３４ｔによってそれぞれ送信されうる。
【００３８】
ＵＥ１２０では、アンテナ２５２ａ乃至２５２ｒが、基地局１１０からダウンリンク信号を、別の基地局からダウンリンク信号を、および／または、他のＵＥからＰ２Ｐ信号を受信し、受信した信号を、復調器（ＤＥＭＯＤ）２５４ａ乃至２５４ｒへそれぞれ提供しうる。おのおのの復調器２５４は、受信されたそれぞれの信号を調整（例えば、フィルタ、増幅、ダウンコンバート、およびデジタル化）して、入力サンプルを取得しうる。おのおのの復調器２５４はさらに、（例えば、ＯＦＤＭ等のため）これら入力サンプルを処理して、受信されたシンボルを取得しうる。ＭＩＭＯ検出器２５６は、Ｒ個すべての復調器２５４ａ乃至２５４ｒから受信したシンボルを取得し、適用可能である場合、これら受信されたシンボルに対してＭＩＭＯ検出を実行し、検出されたシンボルを提供しうる。受信プロセッサ２５８は、検出されたシンボルを処理（例えば、復調および復号）し、ＵＥ１２０のために復号されたデータをデータ・シンク２６０に提供し、復号された制御情報をコントローラ／プロセッサ２８０へ提供しうる。
【００３９】
アップリンクでは、ＵＥ１２０において、送信プロセッサ２６４が、データ・ソース２６２からデータを、コントローラ／プロセッサ２８０から制御情報を受信し、これらを処理しうる。プロセッサ２６４は、データおよび制御情報を処理（例えば、符号化および変調）し、データ・シンボルおよび制御シンボルをそれぞれ取得する。プロセッサ２６４はさらに、１または複数の基準信号のための基準シンボル等を生成しうる。送信プロセッサ２６４からのシンボルは、適用可能であれば、ＴＸ  ＭＩＭＯプロセッサ２６６によってプリコードされ、さらに、（例えば、ＳＣ−ＦＤＭ、ＯＦＤＭ等のために）変調器２５４ａ乃至２５４ｒによって処理され、基地局１１０、他の基地局、および／または、他のＵＥへ送信されうる。基地局１１０では、ＵＥ１２０およびその他のＵＥからのアップリンク信号が、アンテナ２３４によって受信され、復調器２３２によって処理され、適用可能な場合にはＭＩＭＯ検出器２３６によって検出され、さらに、受信プロセッサ２３８によって処理されて、ＵＥ１２０およびその他のＵＥによって送信された復号されたデータおよび制御情報が取得される。プロセッサ２３８は、復号されたデータをデータ・シンク２３９へ提供し、復号された制御情報をコントローラ／プロセッサ２４０へ提供しうる。
【００４０】
コントローラ／プロセッサ２４０，２８０は、基地局１１０およびＵＥ１２０それぞれにおける動作を指示しうる。基地局１１０におけるプロセッサ２４０および／またはその他のプロセッサおよびモジュールは、本明細書に記載された技術のための処理の実行または指示を行いうる。ＵＥ１２０におけるプロセッサ２８０および／またはその他のプロセッサおよびモジュールは、本明細書で説明された技術のための処理の実行または指示を行いうる。メモリ２４２，２８２は、基地局１１０およびＵＥ１２０それぞれのためのデータおよびプログラム・コードを格納しうる。通信（Ｃｏｍｍ）ユニット２４４によって、基地局１１０は、他のネットワーク・エンティティ（例えば、ネットワーク・コントローラ１３０）と通信できるようになりうる。スケジューラ２４６は、ダウンリンクおよび／またはアップリンクでのデータ送信のためにＵＥをスケジュールしうる。
【００４１】
ある態様によれば、受信プロセッサ２３８および／またはコントローラ／プロセッサ２４０は、リソース割当情報２０２を決定し、ＵＥ１２０への送信のために、この情報を、送信プロセッサ２２０に提供しうる。一方、ＵＥ１２０の受信プロセッサ２５８および／またはコントローラ・プロセッサ２８０は、リソース割当情報を抽出し、これにしたがって、ＰＤＳＣＨ送信を処理しうる。
【００４２】
図２は、図１におけるネットワーク・コントローラ１３０の設計をも示す。ネットワーク・コントローラ１３０内では、コントローラ／プロセッサ２９０が、ＵＥのための通信をサポートするさまざまな機能を実行しうる。コントローラ／プロセッサ２９０は、本明細書に記載された技術のための処理を実行しうる。メモリ２９２は、ネットワーク・コントローラ１３０のためのデータおよびプログラム・コードを格納しうる。通信ユニット２９４によって、ネットワーク・コントローラ１３０は、他のネットワーク・エンティティと通信できるようになりうる。
【００４３】
前述したように、ＢＳ１１０およびＵＥ１２０は、ＦＤＤまたはＴＤＤを利用しうる。ＦＤＤの場合、ダウンリンクとアップリンクは、個別の周波数チャネルを割り当てられ、ダウンリンク送信およびアップリンク送信は、２つの周波数チャネルで同時に送信されうる。
【００４４】
図３は、ＬＴＥにおけるＦＤＤのための典型的なフレーム構造３００を示す。ダウンリンクおよびアップリンクのおのおののための送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは２つのスロットを含みうる。したがって、おのおののラジオ・フレームは、０乃至１９のインデクスを付された２０のスロットを含みうる。おのおののスロットは、例えば、（図３に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。
【００４５】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、周波数範囲を、一般にトーン、ビン等とも称される複数（ＮＦＦＴ）個の直交サブキャリアに分割する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（ＮＦＦＴ）は、システム帯域幅に依存しうる。例えば、ＮＦＦＴは、１．２５，２．５，５，１０，２０メガヘルツ（ＭＨｚ）のシステム帯域幅についてそれぞれ１２８，２５６，５１２，１０２４，２０４８にそれぞれ等しくなりうる。システム帯域幅はまた、多くのサブ帯域に分割されうる。そして、各々のサブ帯域は、例えば１．０８ＭＨｚのような周波数の範囲をカバーしうる。
【００４６】
ダウンリンクおよびアップリンクのおのおのために利用可能な時間周波数リソースは、リソース・ブロックに分割されうる。おのおののリソース・ブロックは、１つのスロット内に１２のサブキャリアをカバーし、多くのリソース要素を含みうる。おのおののリソース要素は、１つのシンボル期間において１つのサブキャリアをカバーし、実数値または複素数値である１つの変調シンボルを送信するために使用されうる。
【００４７】
ＬＴＥでは、ｅＮＢは、サブフレームの制御領域で、物理制御フォーマット・インジケータ・チャネル（ＰＣＦＩＣＨ）、物理ＨＡＲＱインジケータ・チャネル（ＰＨＩＣＨ）、および物理ダウンリンク制御チャネル（ＰＤＣＣＨ）を送信しうる。ＰＣＦＩＣＨは、制御領域のサイズを伝送しうる。ＰＨＩＣＨは、ＨＡＲＱを用いてアップリンクで送信されるデータ送信のためのアクノレッジメント（ＡＣＫ）およびネガティブ・アクノレッジメント（ＮＡＣＫ）のフィードバックを伝送しうる。ＰＤＣＣＨはダウンリンク許可、アップリンク許可、および／または、その他の制御情報を伝送しうる。ｅＮＢはまた、（図３に示されていない）サブフレームのデータ領域で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００４８】
ＬＴＥでは、ｅＮＢはまた、ｅＮＢによってサポートされるおのおののセルのためのシステム帯域幅の中央１．０８ＭＨｚで、ダウンリンクで一次同期信号（ＰＳＳ）および二次同期信号（ＳＳＳ）を送信しうる。図３に示すように、ＰＳＳおよびＳＳＳは、通常のサイクリック・プレフィクスを持つ各ラジオ・フレームのサブフレーム０およびサブフレーム５において、シンボル期間６およびシンボル期間５でそれぞれ送信されうる。ＰＳＳおよびＳＳＳは、ＵＥによって、セル探索および獲得のために使用されうる。ｅＮＢは、ｅＮＢによってサポートされているおのおののセルについて、システム帯域幅で、セル特有基準信号（ＣＲＳ）を送信しうる。ＣＲＳは、おのおののサブフレームのあるシンボル期間で送信されうる。そして、チャネル推定、チャネル品質測定、および／または、その他の機能を実行するために、ＵＥによって使用されうる。ｅＮＢはまた、あるラジオ・フレームのスロット１におけるシンボル期間０乃至３で、物理ブロードキャスト・チャネル（ＰＢＣＨ）を送信しうる。ＰＢＣＨは、いくつかのシステム情報を伝送しうる。ｅＮＢは、例えばシステム情報ブロック（ＳＩＢ）のようなその他のシステム情報を、あるサブフレームで、ＰＤＳＣＨで送信しうる。
【００４９】
図４は、ＬＴＥにおいて、通常のサイクリック・プレフィクスを用いたダウンリンクのための典型的なサブフレーム・フォーマット４１０，４２０を示す。ダウンリンクのためのサブフレームは、時分割多重されたデータ領域が後に続く制御領域を含みうる。制御領域は、サブフレームのうちの最初のＭ個のシンボル期間を含みうる。ここで、Ｍは、１，２，３または４に等しくなりうる。Ｍは、サブフレーム毎に変化し、サブフレームの最初のシンボル期間においてＰＣＦＩＣＨによって伝送されうる。制御領域は、制御情報を伝送しうる。データ領域は、サブフレームのうちの残りの（２Ｌ−Ｍ）個のシンボル期間を含み、ＵＥのためのデータおよび／またはその他の情報を伝送しうる。
【００５０】
サブフレーム・フォーマット４１０は、２つのアンテナを装備したｅＮＢのために使用されうる。ＣＲＳは、シンボル期間０，４，７，１１において、アンテナ０，１から送信されうる。基準信号は、送信機および受信機に演繹的に知られている信号であり、パイロットと称されうる。ＣＲＳは、例えば、セル識別情報（ＩＤ）に基づいて生成された、セルに特有の基準信号である。図４では、ラベルＲａを付された所与のリソース要素について、アンテナａから、このリソース要素で変調シンボルが送信され、他のアンテナからは、このリソース要素で、変調シンボルは送信されない。サブフレーム・フォーマット４２０は、４つのアンテナを装備したｅＮＢのために使用されうる。ＣＲＳは、シンボル期間０，４，７，１１において、アンテナ０，１から送信され、シンボル期間１，８において、アンテナ２，３から送信されうる。サブフレーム・フォーマット４１０，４２０の両方について、セルＩＤに基づいて決定されうる、等間隔で配置されたサブキャリアでＣＲＳが送信されうる。異なるｅＮＢは、これらセルのセルＩＤに依存して、同じサブキャリアまたは異なるサブキャリアで、これらセルのためのＣＲＳを送信しうる。サブフレーム・フォーマット４１０，４２０の両方について、ＣＲＳのために使用されていないリソース要素は、データまたは制御情報を送信するために使用されうる。
【００５１】
図５は、ＬＴＥにおけるアップリンクのための典型的なサブフレーム・フォーマット４００を示す。アップリンク用のサブフレームは、周波数分割多重されうる制御領域およびデータ領域を含みうる。制御領域は、システム帯域幅の２つの端部において形成され、設定可能なサイズを有しうる。データ領域は、制御領域に含まれていないすべてのリソース・ブロックを含みうる。
【００５２】
ＵＥは、ｅＮＢへ制御情報を送信するために、制御領域においてリソース・ブロックを割り当てられうる。ＵＥはまた、ｅＮＢへデータを送信するために、データ領域においてリソース・ブロックを割り当てられうる。ＵＥは、制御領域において割り当てられたリソース・ブロック５１０ａ，５１０ｂで、物理アップリンク制御チャネル（ＰＵＣＣＨ）で制御情報を送信しうる。ＵＥは、データ領域において割り当てられたリソース・ブロック５２０ａ，５２０ｂで、物理アップリンク共有チャネル（ＰＵＳＣＨ）で、データのみ、または、データと制御情報との両方を送信しうる。図５に示すように、アップリンク送信は、サブフレームの両スロットに及び、周波数を越えてホップしうる。
【００５３】
図６は、ＬＴＥにおけるＴＤＤのための典型的なフレーム構造６００を示す。ＬＴＥは、ＴＤＤのために、多くのダウンリンク−アップリンク構成をサポートする。すべてのダウンリンク−アップリンク構成について、サブフレーム０，５がダウンリンク（ＤＬ）のために使用され、サブフレーム２がアップリンク（ＵＬ）のために使用される。サブフレーム３，４，７，８，９は各々、ダウンリンク−アップリンク構成に依存して、ダウンリンクまたはアップリンクのために使用されうる。サブフレーム１は、（ｉ）ダウンリンク制御チャネルのみならずデータ送信のために使用されるダウンリンク・パイロット時間スロット（ＤｗＰＴＳ）と、（ｉｉ）無送信のガード期間（ＧＰ）と、（ｉｉｉ）ランダム・アクセス・チャネル（ＲＡＣＨ）またはサウンディング基準信号（ＳＲＳ）の何れかのために使用されるアップリンク・パイロット時間スロット（ＵｐＰＴＳ）とからなる。サブフレーム６は、ダウンリンク−アップリンク構成に依存して、ＤｗＰＴＳのみを含むか、または、３つの特別なフィールドすべてを含むか、または、ダウンリンク・サブフレームを含みうる。ＤｗＰＴＳ、ＧＰ、およびＵｐＰＴＳは、異なるサブフレーム構成について、異なる持続時間を有しうる。
【００５４】
ダウンリンクにおいては、ｅＮＢが、（図６に図示されていないが）サブフレーム１，６のシンボル期間２でＰＳＳを送信し、サブフレーム０，５の最後のシンボル期間でＳＳＳを送信しうる。ｅＮＢは、おのおののダウンリンク・サブフレームのあるシンボル期間で、ＣＲＳを送信しうる。ｅＮＢはまた、あるラジオ・フレームのサブフレーム０で、ＰＢＣＨをも送信しうる。
【００５５】
ＬＴＥにおけるさまざまなフレーム構造、サブフレーム・フォーマット、物理チャネル、および信号は、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００５６】
当業者であれば、本明細書で示された干渉管理技術は、ハードウェア構成要素および／またはソフトウェア構成要素の任意の適切な組み合わせを用いて実現されうることを認識するであろう。ある態様によれば、このような技術のさまざまな動作は、１または複数の「ソフトウェア設定可能な」プログラマブル・プロセッサを用いて実現されうる。
【００５７】
（ＰＤＳＣＨ送信の保護）  
本開示のある態様は、例えばＦＤＭを利用して、基地局間で共有されるＲＢの戦略的な割当によって、干渉管理を提供する。ある態様によれば、基地局は、干渉を回避するために、ＰＤＳＣＨを送信する場合に、ガードＲＢを利用しうる。ある態様によれば、ＵＥは、ＰＤＳＣＨを復号する場合に、ＰＤＳＣＨ情報を含むあるＲＢを無視しうる。
【００５８】
制御チャネル送信およびユニキャストＰＤＳＣＨ送信のために、干渉を管理するために提案されるアプローチは、ＴＤＭ分割アプローチである。このアプローチによれば、サブフレームが、おのおのの異なる電力クラスのセット（例えば、マクロ、フェムト、ピコ）に分割され、セルは、割り当てられたサブフレームのみを用いて、制御チャネルを送信し、ＰＤＳＣＨをユニキャストすることが許容されうる。このアプローチでは、ＵＥは、（「保護された」サブフレーム中の送信を制限または阻止する）より強いセルからの干渉を被ることなく、弱いセルとの間でデータを送信または受信しうる。
【００５９】
不運にも、（セル内のＵＥへブロードキャストされるＰＤＳＣＨである）ＳＩＢ１メッセージおよびページング・メッセージは、割り当てられた保護されたサブフレームのうちの１つにならない、予めスケジュールされたインスタンスで送信される必要がありうる。例えば、ＳＩＢ１は、全てのセルからの偶数ラジオ・フレーム毎の指定されたサブフレーム（例えば、サブフレーム５）から送信されうるので、ＳＩＢ１は、ＴＤＭ分割ルールに容易にしたがうことができない。その結果、弱いセルから、非割当サブフレームで送信されたＳＩＢ１メッセージおよびページング・メッセージは、より強いセルからのより強い干渉が存在する場合、ＵＥにおいて正しく復号されない場合がある。同様に、ＳＩＢ１とページングを伴うＰＤＣＣＨも、ＵＥにおいて復号されない場合がある。
【００６０】
ＴＤＭ分割を必要としない、ＰＤＣＣＨ復号のためのその他さまざまな解決策が利用されうる。このような解決策の例は、ＰＤＣＣＨの同時復号を回避するための「ＰＤＣＣＨのない動作」と、異なる（割り当てられた）サブフレームにおけるＰＤＣＣＨを提供するためのサブフレーム間ＰＤＣＣＨ割当と、ＳＩＢ１／ページングのための変調符号スキーム（ＭＣＳ）およびＲＢを取得するための代替方法とを含みうる。
【００６１】
ＴＤＭ分割を必要としないＳＩＢ１／ページング復号のためのその他のさまざまな解決策も利用されうる。このような解決策の例は、周波数分割多重（ＦＤＭ）方式でセル間のＳＩＢ１／ページング送信を直交させる技術を含みうる。図７Ａは、弱いセル−強いセルのシナリオにおけるＳＩＢ１／ページング直交化の例を例示する。例示するように、より弱いセルにおけるＰＤＳＣＨ送信のために使用されるＲＢ７０２のセットが、より強いセルにおけるＰＤＳＣＨ送信のために使用されるＲＢ７０４のセットとオーバラップしないように選択されうる。図７Ｂに例示されるように、オーバラップするＲＢの共通のセット７０６は、両方のセルによって利用されうる。そして、ＳＩＢ１／ページング送信は、セル間で衝突することが許容され、ＵＥは、これらを復号するために、ＩＣに依存するようにされる。しかしながら、このアプローチは、すべてのＵＥがＩＣ対応とは限らないシステムに制限されうる。
【００６２】
さらに、より弱いセルからのＵＥが、より強いセルがＰＤＳＣＨを送信しうるサブフレームにおいてＳＩＢ１／ページングを復号する必要のあるシナリオにおいて、ＵＥは、ＳＩＢ１／ページングを伝送するＲＢにおける共通のＲＳ（ＣＲＳ）トーンにのみ依存して、ナローバンド・チャネル推定を使用することを強いられうる。なぜなら、これらＲＢの外側のＲＳトーンは、厳しく干渉を受けており、頼ることができないからである。セルが、支配的な近隣セルに対する支配的な干渉体であり、非割当サブフレームでＳＩＢ１／ページングを送信するという逆のシナリオでは、ＳＩＢ１／ページング送信は、ＳＩＢ１／ページング送信のために使用されるＲＢに隣接したＲＢにおいて、近隣セルに対する厳しい干渉をもたらしうる。
【００６３】
ある態様によれば、ブロードバンド・チャネル推定のために許容された、ＰＤＳＣＨ直交化を含む技術（すなわち、周波数領域におけるすべてのＣＲＳトーン、つまり、ＳＩＢ１／ページングを伝送するＲＢの内部と外部と両方のＣＲＳトーンを用いたチャネル推定）が提供される。ある態様によれば、この技術は、異なるタイプのＰＤＳＣＨ（例えば、ＳＩＢ１またはページング／ｍｓｇ２）に適用されうる。ある態様によれば、基地局は、追加のガード帯域を用いてＰＤＳＣＨを送信しうる。さらに、または、代案として、ＵＥは、ＰＤＳＣＨを復号する場合、ＰＤＳＣＨを送信するために使用される１または複数のＲＢを無視しうる。
【００６４】
図８は、本明細書に記載された干渉管理技術が利用されうる通信システム８００の例を例示する。例示されるように、無線通信システム８００は、ＢＳ８０２，８２２と、ＢＳ８０２，８２２によってサービス提供されるＵＥ８０４，８２４とをそれぞれ含みうる。ＢＳ８０２，８２２は、互いに潜在的に干渉する異なるセル内に配置されうる。ある態様によれば、通信システム８００は、ヘテロジニアスなネットワークでありうる。そして、ＢＳ８０２，８２２は、マクロＢＳ、フェムトＢＳ、ピコＢＳ等の組み合わせでありうる。ある態様によれば、無線通信システム８００は、ＬＴＥシステムまたはＬＴＥ−Ａシステムでありうる。
【００６５】
ＢＳ８０２，８２２は、データおよび／または制御情報、および／または、システム、方法、装置、および／または、コンピュータ・プログラム製品のうちの何れかを参照して記載されているその他任意のタイプの情報を、ＵＥ８０４，８２４へ送信、およびＵＥ８０４，８２４から受信、するように構成されたトランシーバ８０６，８１６を含みうる。例えば、トランシーバ８０６，８１６は、情報チャネル、データ・チャネル、および制御チャネルを分割する時間リソースおよび／または周波数リソースを送信および／または受信するように構成されうる。
【００６６】
ＢＳ８０２，８２２はまた、さまざまなプロセッサ８０８，８２８およびメモリ８１０，８３０を含みうる。プロセッサ８０８，８２８は、本明細書に記載された干渉管理機能のうちの１または複数を実行するように構成されうる。ＢＳ８０２，８２２はおのおの、本明細書に記載されたさまざまな動作を実行するための、例えば、プロセッサ８０８，８２８によって実行可能な命令群を格納するメモリ８１０，８３０を含みうる。
【００６７】
ＢＳ８０２，８２２はさらに、干渉管理のためにリソースを割り当てるように構成されたＢＳリソース割当モジュール８１２，８３２を含みうる。割り当てられたリソースは、限定される訳ではないが、時間および／または周波数の送信リソースを含みうる。例えば、リソース割当モジュール８１２，８３２は、異なる電力クラスのＢＳ間で分割するリソースを送信、生成、および／または、処理するように構成されうる。ある態様によれば、リソース割当モジュール８１２，８３２は、本明細書に記載されたような干渉管理のための電力制御情報を生成するように構成されうる。
【００６８】
無線通信システム８００はまた、ＢＳ８０２，８２２によってそれぞれサービス提供され、かつ、ＢＳ８０２，８２２によって管理される対応するセルに配置されたＵＥ８０４，８２４をも含みうる。
【００６９】
ＵＥ８０４，８２４は、データおよび／または制御情報、および／または、本明細書に記載されたその他任意のタイプの情報を、ＢＳ８０２，８２２へ送信、およびＢＳ８０２，８２２から受信、するように構成されたトランシーバ８１４，８３４を含みうる。例えば、トランシーバ８１４，８３４は、異なるタイプのサブフレームにおいて、アップリンク送信の送信電力を変化させるために、情報および電力制御情報を分割する時間リソースおよび／または周波数リソースを送信および／または受信するように構成されうる。ある態様によれば、トランシーバ８１４，８３４は、限定される訳ではないが、使用可能な、使用不能な、およびフレキシブルに使用可能なサブフレームを含む異なるタイプのサブフレームにおいて送信するように構成されうる。トランシーバ８１４，８３４は、データ・チャネルおよび制御チャネルを受信するように構成されうる。
【００７０】
ＵＥ８０４，８２４はまた、さまざまなプロセッサ８１６，８３６およびメモリ８１８，８３８を含みうる。プロセッサ８１６，８３６は、システム、方法、装置、および／または、コンピュータ・プログラム製品のうちの何れかを参照して本明細書に記載された機能のうちの１または複数を実行するように構成されうる。ＵＥ８０４，８２４はおのおの、本明細書に記載されたさまざまな動作を実行するための、例えば、プロセッサ８１６，８３６によって実行可能な命令群を格納するメモリ８１８，８３８を含みうる。
【００７１】
ＢＳ８０４，８２４はさらに、干渉管理のためのリソース割当情報を受信および処理するように構成されたＵＥリソース割当モジュール８２０，８４０を含みうる。例えば、ＵＥリソース割当モジュール８２０，８４０は、異なる電力クラスのＢＳ間で情報を分割するリソースを、受信および処理するように構成されうる。ある態様によれば、リソース割当モジュール８２０，８４０はまた、リソース割当情報を受信し、ＰＤＳＣＨ送信を復号するようにも構成されうる。
【００７２】
図９は、少なくとも第１の基地局と第２の基地局とが周波数分割多重（ＦＤＭ）スキームによってリソース・ブロック（ＲＢ）を共有する無線通信ネットワークにおける無線通信のための動作９００の例を例示する。動作８００は、例えば、第１の基地局によって実行されうる。この動作８００は、８０２において、物理ダウンリンク共有チャネル（ＰＤＳＣＨ）を送信するためのリソース・ブロック（ＲＢ）のセットを、第１の基地局によって識別することによって始まる。ここで、第２のセルの基地局は、識別されたＲＢのセットを用いた送信を制限するようにスケジュールされる。８０４では、第１のＢＳが、識別されたＲＢのセットの周囲の１または複数のガードＲＢを識別する。８０６では、第１のＢＳが、制限付きで送信される識別されたＲＢを用いて、または、識別されたＲＢを送信せずに、ガードＲＢにおいて、第１の基地局または第２の基地局のうちの何れかによって、ＰＤＳＣＨを送信する。
【００７３】
図１０は、動作９００にしたがうＲＢの割当の例を例示する。例示されるように、ＰＤＳＣＨは、１または複数のガードＲＢ１００２によって囲まれるＲＢ１００４のセットを利用して、第１のセル（セルＡ）で送信されうる。ガード・トーン１００２は、ＲＢ１００６を用いて別のセル（セルＢ）において送信されたＰＤＳＣＨ送信を復号することを試みる別のＵＥによって、潜在的に影響を与えるブロードバンド・チャネル推定からＰＤＳＣＨを分離しうる。例示されるように、ＲＢ１００４  ＰＤＳＣＨおよびガードＲＢ１００２は、第２のセルにおいて送信が制限されるか、送信されないＲＢに対応しうる。
【００７４】
セルＡに接続されたＵＥは、セルＢからの強い干渉を観察しうる。このＵＥは、ＲＢ１００４において、セルＡからのＰＤＳＣＨ情報を復号する場合、ＰＤＳＣＨを復号するために、未だにブロードバンド・チャネル推定を使用することができる。一般に、このようなチャネル推定は、セルＢからの強い干渉によって、ＲＢ１００６およびＲＢ１００２における貧弱なチャネル推定品質に至りうる。しかしながら、ガードＲＢによって提供される保護を用いると、ＲＢ１００４（セルＡからのＰＤＳＣＨを伝送するＲＢ）におけるＵＥのチャネル推定品質は、セルＡからのＰＤＳＣＨを復号するために十分良好となりうる。
【００７５】
図１０に例示される解決策は、ｅＮＢからのガードＲＢの使用を必須とすることによって、ＵＥに対して透過的となりうる。したがって、ＵＥ実装の変化を必要としない。あるいは、ガードＲＢは、オプションとして、ｅＮＢによって使用されうる。この場合、ＵＥがブロードバンド・チャネル推定またはナローバンド・チャネル推定かの何れかを使用しなければならないことを決定することを支援できるように、ガードＲＢの存在がＵＥへシグナルされうる。
【００７６】
ガードＲＢの特定の位置は、使用される特定のリソース割当スキームに依存しうる。例えば、タイプ２局所リソース割当の場合、ガードＲＢは、ＰＤＳＣＨのために割り当てられたＲＢの各側に位置しうる。タイプ２分散リソース割当の場合、ガードＲＢは、ＰＤＳＣＨのために割り当てられたＲＢの別（いくつかまたはすべて）の部分の各側に位置しうる。
【００７７】
何れの場合であれ、ガードＲＢ（の位置および数）は、例えばバックホール接続によって、ｅＮＢまたはセル間でネゴシエートされうる。ある態様によれば、ガードＲＢの数は、例えばＲＲＣシグナリングによって設定可能であるか、あるいは、固定されうる。ある態様によれば、ガードＲＢの数は、例えば、ＰＤＳＣＨのために使用されているＲＢに応じて決定されうる。この場合、ＵＥは、ＰＤＳＣＨのために使用されているガードＲＢの数を知っているかもしれないので、ガードＲＢの数を明示的にシグナリングすることは不要かもしれない。
【００７８】
さらに、本明細書に記載された技術は、例えば、システム情報ブロック（ＳＩＢ）、ページング、Ｍｓｇ２、あるいはユニキャストＰＤＳＣＨのようなＰＤＳＣＨにマップされた任意の伝送チャネルに適用されうることが認識されるだろう。
【００７９】
ある態様によれば、ブロードバンド・チャネル推定を適用するＵＥは、ＰＤＳＣＨのために割り当てられたＲＢの端部近傍のＲＢを無視しうる。このアプローチによって、ＵＥは、ガードＲＢが使用されない場合でさえも、ＰＤＳＣＨを正しく復号できるようになりうる。例えば、強い近隣のセルが、ＳＩＢ１／ページング領域の丁度外側にあるＲＢで送信すると、ＵＥは、ＰＤＳＣＨを復号する場合に、（例えば、対応するＬＬＲをパンクチャすることによって、）端部近傍のＲＢを無視しうる。このようなシナリオでは、ｅＮＢは、ＵＥの低下した復号能力を補償するために、より多くのＲＢにＰＤＳＣＨをスケジュールしうる。ガードＲＢの存在は、ＵＥが、端部近傍のＲＢを破棄しなければならないか否かの決定を支援できるように、ＵＥへシグナルされうる。ナローバンド・チャネル推定を適用するＵＥは、すべてのＲＢを使用しうる。この場合、ＰＤＳＣＨは、端部のＲＢを破棄する必要なく送信される。
【００８０】
図１１は、例えば、少なくとも第１の基地局と第２の基地局とが周波数分割多重（ＦＤＭ）スキームによってリソース・ブロック（ＲＢ）を共有するシステムにおいて、ＵＥによって実行されうる動作１１００の例を例示する。この動作１１００は、１１０２において、物理ダウンリンク共有チャネル（ＰＤＳＣＨ）を割り当てるためのリソース・ブロック（ＲＢ）のセットを、第１の基地局から受信することによって始まる。ここで、第２のセルの基地局は、識別されたＲＢのセットを用いた送信を制限するようにスケジュールされる。１１０４において、ＵＥは、ＰＤＳＣＨのために割り当てられたＲＢのセットのサブセットのみを用いてＰＤＳＣＨを復号する。ここで、サブセットは、ＰＤＳＣＨのために割り当てられたＲＢのセットの何れかの端部に、１または複数のＲＢを含んでいない。
【００８１】
図１２は、動作１１００にしたがうＲＢの割当の例を例示する。例示されるように、第２のセル（セルＢ）におけるＰＤＳＣＨ送信のために使用される端部近傍のＲＢ１２０６において、ＲＢ１２０２のセットを含む、ＲＢ１２０４のセットを利用する第１のセル（セルＡ）で、ＰＤＳＣＨが送信されうる。図示されるように、ＲＢ１２０２におけるブロードバンド・チャネル推定は、ＲＢ１２０６におけるセルＢにおけるＰＤＳＣＨ送信による干渉を被らないかもしれないので、ＵＥは、ＰＤＳＣＨを復号するために、ＲＢ１２０２のセットを使用しないことがありうる。例示されるように、ＵＥは、第２のセルにおける送信から、ＵＥのチャネル推定に対して、制限されたインパクトしか与えない、または、全くインパクトを与えないＲＢに対応するＲＢ１２０４のみを用いてＰＤＳＣＨを復号しうる。
【００８２】
このように、ＵＥは、ＲＢ１２０２を無視しながら、割り当てられたＲＢ１２０４のサブセットのみを使用しうる。ある態様によれば、これを考慮するために、ｅＮＢは、実際に必要とされるよりも多くのＲＢにＰＤＳＣＨをスケジュールしうる。言い換えれば、この「過剰割当」は、（ＲＢ１２０２を無視することによって低下される）ＵＥの低下した復号能力を補償することに役立ちうる。ある態様によれば、ＰＤＳＣＨが送信される場合、ナローバンド・チャネル推定を適応するＵＥは、すべてのＲＢを使用することができうる。
【００８３】
本明細書に記載されたシナリオおよび実施形態は、限定される訳ではないが、フェムト・トゥ・フェムト・ネットワーク、マクロ・トゥ・ピコ・ネットワーク、および／または、干渉を受けているＢＳが本明細書に記載された機能の何れかを実施しうるその他任意のタイプのＨｅｔＮｅｔを含む任意のＨｅｔＮｅｔに適用されうる。
【００８４】
本明細書に記載された技術は、ハードウェア構成要素および／またはソフトウェア構成要素との任意の適切な組み合わせを含みうる任意の適切な手段を用いて実施されうる。１つの態様では、前述した手段は、前述された機能を実行するように構成された、例えば前述した図面に記載されたようなプロセッサ（単数または複数）でありうる。別の態様では、前述した手段は、前述した手段によって記述された機能を実行するように構成されたモジュールまたは任意の装置でありうる。
【００８５】
用語「モジュール」、「構成要素」等は、ハードウェア、ファームウェア、ハードウェアとソフトウェアの組み合わせ、ソフトウェア、あるいは実行中のソフトウェアのうちの何れかのようなコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、格納されたさまざまなデータ構造を有するさまざまなコンピュータ読取可能な媒体から実行しうる。構成要素は、例えば、１または複数のデータ・パケット（例えば、シグナルによって、ローカル・システム内の別の構成要素とインタラクトする１つの構成要素からのデータ、配信システムからのデータ、および／または、他のシステムを備えたインターネットのようなネットワークを介したデータ）を有する信号にしたがってローカル処理および／または遠隔処理によって通信しうる。
【００８６】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００８７】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとして、ソフトウェアとして、あるいはこれら両方の組み合わせとして実現されるかは、特定のアプリケーションおよびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００８８】
本明細書の開示に関連して記載されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８９】
本明細書の開示に関連して説明された方法またはアルゴリズムのステップは、ハードウェアで直接に、プロセッサによって実行されるソフトウェア・モジュールで、またはこの２つの組合せで実現されうる。ソフトウェア・モジュールは、ランダム・アクセス・メモリ（ＲＡＭ）、読取専用メモリ（ＲＯＭ）、プログラマブルＲＯＭ（ＰＲＯＭ）、電子的プログラマブルＲＯＭ（ＥＰＲＯＭ）、電子的消去可能プログラマブルＲＯＭ（ＥＥＰＲＯＭ）、レジスタ、ハード・ディスク、リムーバブル・ディスク、ＣＤ−ＲＯＭ、または当該技術において周知であるその他任意の形式の記憶媒体に存在しうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００９０】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００９１】
本明細書に記載されるように、アイテムのリストのうちの「少なくとも１つ」と称する文言は、単数を含むこれらアイテムのうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００９２】
本開示の前述した記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2014180037.tif 000003
【図２】
2014180037.tif 000004
【図３】
2014180037.tif 000005
【図４】
2014180037.tif 000006
【図５】
2014180037.tif 000007
【図６】
2014180037.tif 000008
【図７Ａ】
2014180037.tif 000009
【図７Ｂ】
2014180037.tif 000010
【図８】
2014180037.tif 000011
【図９】
2014180037.tif 000012
【図１０】
2014180037.tif 000013
【図１１】
2014180037.tif 000014
【図１２】
2014180037.tif 000015
【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
少なくとも第１のセルの第１の基地局と第２のセルの第２の基地局とが周波数分割多重（ＦＤＭ）スキームによってリソース・ブロック（ＲＢ）を共有する無線通信ネットワークにおける無線通信のための方法であって、
物理ダウンリンク共有チャネル（ＰＤＳＣＨ）を送信するためのリソース・ブロック（ＲＢ）のセットを、前記第１の基地局によって識別することと、ここで、前記第２の基地局は、前記識別されたＲＢのセットを用いた送信を制限するようにスケジュールされる、
前記識別されたＲＢのセットの周囲の１または複数のガードＲＢを識別することと、
制限付きで送信される前記識別されたＲＢを用いて、または、前記識別されたＲＢを送信せずに、前記ガードＲＢにおいて、前記第１の基地局または前記第２の基地局のうちの何れかによって、前記ＰＤＳＣＨを送信することと、
を備える方法。
【請求項２】
前記無線通信ネットワークは、ヘテロジニアスなネットワークを備え、
第１のセルと第２のセルとは、異なる電力クラスのタイプからなる、
請求項１に記載の方法。
【請求項３】
前記識別されたＲＢのセットは、局所的なリソース割当によって割り当てられ、
前記ガードＲＢは、前記識別されたＲＢのセットの各側に１または複数のＲＢを備える、
請求項１に記載の方法。
【請求項４】
前記識別されたＲＢのセットは、分散されたリソース割当によって割り当てられ、
前記ガードＲＢは、前記識別されたＲＢのセットの１または複数の別の部位の各側に、１または複数のＲＢを備える、
請求項１に記載の方法。
【請求項５】
前記ガードＲＢを識別するために、前記第２の基地局とネゴシエートすること、をさらに備える請求項１に記載の方法。
【請求項６】
前記第１の基地局が前記ガードＲＢの数をＵＥへシグナルする必要がないように、ＰＤＳＣＨを送信する場合、前記ガードＲＢを使用することが必須とされる、請求項１に記載の方法。
【請求項７】
ＵＥが、前記ＰＤＳＣＨを送信する場合に使用されるガードＲＢの存在または不在に基づいて、前記ＰＤＳＣＨを復号するために前記ＰＤＳＣＨのために割り当てられたＲＢのセットのすべてまたはサブセットを使用すべきかを判定する、請求項１に記載の方法。
【請求項８】
ＵＥが、前記ＰＤＳＣＨを送信する場合に使用されるガードＲＢの存在または不在に基づいて、ブロードバンド・チャネル推定またはナローバンド・チャネル推定を使用するかを判定する、請求項１に記載の方法。
【請求項９】
前記ガードＲＢの数は、ラジオ・リソース制御（ＲＲＣ）シグナリングによって設定可能である、請求項１に記載の方法。
【請求項１０】
前記ガードＲＢの数は、前記識別されたＲＢのセットにおけるＲＢの数に依存する、請求項１に記載の方法。
【請求項１１】
前記ＰＤＳＣＨを送信することは、システム情報ブロック（ＳＩＢ）、ページング・メッセージ、または応答メッセージｍｓｇ２のうちの少なくとも１つを送信することを備える、請求項１に記載の方法。
【請求項１２】
少なくとも第１のセルの第１の基地局と第２のセルの第２の基地局とが周波数分割多重（ＦＤＭ）スキームによってリソース・ブロック（ＲＢ）を共有するシステムにおける無線通信のための方法であって、
物理ダウンリンク共有チャネル（ＰＤＳＣＨ）を割り当てるためのリソース・ブロック（ＲＢ）のセットを、前記第１の基地局から受信することと、ここで、前記第２の基地局は、識別されたＲＢのセットを用いた送信を制限するようにスケジュールされる、
前記ＰＤＳＣＨのために割り当てられた前記ＲＢのセットのサブセットのみを用いて前記ＰＤＳＣＨを復号することと、ここで、前記サブセットは、前記ＰＤＳＣＨのために割り当てられた前記ＲＢのセットの何れかの端部に、１または複数のＲＢを含んでいない、
を備える方法。
【請求項１３】
前記無線通信ネットワークは、ヘテロジニアスなネットワークを備え、
第１のセルと第２のセルとは、異なる電力クラスのタイプからなる、
請求項１２に記載の方法。
【請求項１４】
前記ＰＤＳＣＨのために割り当てられたＲＢのセットのサブセットのみを用いて復号することを補償するために、増加された数のＲＢの割り当てを、前記第１の基地局から受信すること、をさらに備える請求項１２に記載の方法。
【請求項１５】
前記ＰＤＳＣＨのために割り当てられたＲＢのセットのサブセットのみを用いて前記ＰＤＳＣＨを復号することは、前記ＰＤＳＣＨのために割り当てられたＲＢのセットの何れかの端部における１または複数のＲＢのためのログ尤度比（ＬＬＲ）をパンクチャすることを備える、請求項１２に記載の方法。
【請求項１６】
前記ＰＤＳＣＨを送信する場合に使用されるガードＲＢの存在または不在に基づいて、前記ＰＤＳＣＨを復号するために前記ＰＤＳＣＨのために割り当てられたＲＢのセットのすべてまたはサブセットを使用すべきかを判定すること、をさらに備える請求項１２に記載の方法。
【請求項１７】
少なくとも第１のセルの第１の基地局と第２のセルの第２の基地局とが周波数分割多重（ＦＤＭ）スキームによってリソース・ブロック（ＲＢ）を共有する無線通信ネットワークにおける無線通信のための装置であって、
物理ダウンリンク共有チャネル（ＰＤＳＣＨ）を送信するためのリソース・ブロック（ＲＢ）のセットを識別する手段と、ここで、前記第２の基地局は、前記識別されたＲＢのセットを用いた送信を制限するようにスケジュールされる、
前記識別されたＲＢのセットの周囲の１または複数のガードＲＢを識別する手段と、
制限付きで送信される前記識別されたＲＢを用いて、または、前記識別されたＲＢを送信せずに、前記ガードＲＢにおいて、前記第１の基地局または前記第２の基地局のうちの何れかによって、前記ＰＤＳＣＨを送信する手段と、
を備える装置。
【請求項１８】
前記無線通信ネットワークは、ヘテロジニアスなネットワークを備え、
第１のセルと第２のセルとは、異なる電力クラスのタイプからなる、
請求項１７に記載の装置。
【請求項１９】
前記識別されたＲＢのセットは、局所的なリソース割当によって割り当てられ、
前記ガードＲＢは、前記識別されたＲＢのセットの各側に１または複数のＲＢを備える、
請求項１７に記載の装置。
【請求項２０】
前記識別されたＲＢのセットは、分散されたリソース割当によって割り当てられ、
前記ガードＲＢは、前記識別されたＲＢのセットの１または複数の別の部位の各側に、１または複数のＲＢを備える、
請求項１７に記載の装置。
【請求項２１】
前記ガードＲＢを識別するために、前記第２の基地局とネゴシエートする手段、をさらに備える請求項１７に記載の装置。
【請求項２２】
前記第１の基地局が前記ガードＲＢの数をＵＥへシグナルする必要がないように、ＰＤＳＣＨを送信する場合、前記ガードＲＢを使用することが必須とされる、請求項１７に記載の装置。
【請求項２３】
ＵＥが、前記ＰＤＳＣＨを送信する場合に使用されるガードＲＢの存在または不在に基づいて、前記ＰＤＳＣＨを復号するために前記ＰＤＳＣＨのために割り当てられたＲＢのセットのすべてまたはサブセットを使用すべきかを判定する、請求項１７に記載の装置。
【請求項２４】
ＵＥが、前記ＰＤＳＣＨを送信する場合に使用されるガードＲＢの存在または不在に基づいて、ブロードバンド・チャネル推定またはナローバンド・チャネル推定を使用するかを判定する、請求項１７に記載の装置。
【請求項２５】
前記ガードＲＢの数は、ラジオ・リソース制御（ＲＲＣ）シグナリングによって設定可能である、請求項１７に記載の装置。
【請求項２６】
前記ガードＲＢの数は、前記識別されたＲＢのセットにおけるＲＢの数に依存する、請求項１７に記載の装置。
【請求項２７】
前記ＰＤＳＣＨを送信する手段は、システム情報ブロック（ＳＩＢ）、ページング・メッセージ、または応答メッセージｍｓｇ２のうちの少なくとも１つを送信する手段を備える、請求項１７に記載の装置。
【請求項２８】
少なくとも第１のセルの第１の基地局と第２のセルの第２の基地局とが周波数分割多重（ＦＤＭ）スキームによってリソース・ブロック（ＲＢ）を共有するシステムにおける無線通信のための装置であって、
物理ダウンリンク共有チャネル（ＰＤＳＣＨ）を割り当てるためのリソース・ブロック（ＲＢ）のセットを、前記第１の基地局から受信する手段と、ここで、前記第２の基地局は、識別されたＲＢのセットを用いた送信を制限するようにスケジュールされる、
前記ＰＤＳＣＨのために割り当てられたＲＢのセットのサブセットのみを用いて前記ＰＤＳＣＨを復号する手段と、ここで、前記サブセットは、前記ＰＤＳＣＨのために割り当てられた前記ＲＢのセットの何れかの端部に、１または複数のＲＢを含んでいない、
を備える装置。
【請求項２９】
前記無線通信ネットワークは、ヘテロジニアスなネットワークを備え、
第１のセルと第２のセルとは、異なる電力クラスのタイプからなる、
請求項２８に記載の装置。
【請求項３０】
前記ＰＤＳＣＨのために割り当てられたＲＢのセットのサブセットのみを用いて復号することを補償するために、増加された数のＲＢの割り当てを、前記第１の基地局から受信する手段、をさらに備える請求項２８に記載の装置。
【請求項３１】
前記ＰＤＳＣＨのために割り当てられたＲＢのセットのサブセットのみを用いて前記ＰＤＳＣＨを復号する手段は、前記ＰＤＳＣＨのために割り当てられたＲＢのセットの何れかの端部における１または複数のＲＢのためのログ尤度比（ＬＬＲ）をパンクチャする手段を備える、請求項２８に記載の装置。
【請求項３２】
前記ＰＤＳＣＨを送信する場合に使用されるガードＲＢの存在または不在に基づいて、前記ＰＤＳＣＨを復号するために前記ＰＤＳＣＨのために割り当てられたＲＢのセットのすべてまたはサブセットを使用すべきかを判定する手段、をさらに備える請求項２８に記載の装置。
【請求項３３】
少なくとも第１のセルの第１の基地局と第２のセルの第２の基地局とが周波数分割多重（ＦＤＭ）スキームによってリソース・ブロック（ＲＢ）を共有する無線通信ネットワークにおける無線通信のための装置であって、
物理ダウンリンク共有チャネル（ＰＤＳＣＨ）を送信するためのリソース・ブロック（ＲＢ）のセットを識別することと、ここで、前記第２の基地局は、前記識別されたＲＢのセットを用いた送信を制限するようにスケジュールされる、
前記識別されたＲＢのセットの周囲の１または複数のガードＲＢを識別することと、
制限付きで送信される前記識別されたＲＢを用いて、または、前記識別されたＲＢを送信せずに、前記ガードＲＢにおいて、前記第１の基地局または前記第２の基地局のうちの何れかによって、前記ＰＤＳＣＨを送信することと、
を実行するように構成された少なくとも１つのプロセッサと、
前記少なくとも１つのプロセッサに接続されたメモリと、
を備える装置。
【請求項３４】
少なくとも第１のセルの第１の基地局と第２のセルの第２の基地局とが周波数分割多重（ＦＤＭ）スキームによってリソース・ブロック（ＲＢ）を共有するシステムにおける無線通信のための装置であって、
物理ダウンリンク共有チャネル（ＰＤＳＣＨ）を割り当てるためのリソース・ブロック（ＲＢ）のセットを、前記第１の基地局から受信することと、ここで、前記第２の基地局は、識別されたＲＢのセットを用いた送信を制限するようにスケジュールされる、
前記ＰＤＳＣＨのために割り当てられた前記ＲＢのセットのサブセットのみを用いて前記ＰＤＳＣＨを復号することと、ここで、前記サブセットは、前記ＰＤＳＣＨのために割り当てられたＲＢのセットの何れかの端部に、１または複数のＲＢを含んでいない、
を実行するように構成された少なくとも１つのプロセッサと、
前記少なくとも１つのプロセッサに接続されたメモリと、
を備える装置。
【請求項３５】
少なくとも第１のセルの第１の基地局と第２のセルの第２の基地局とが周波数分割多重（ＦＤＭ）スキームによってリソース・ブロック（ＲＢ）を共有する無線通信ネットワークにおける無線通信のための、格納された命令群を有するコンピュータ読取可能な記憶媒体であって、
前記命令群は、
物理ダウンリンク共有チャネル（ＰＤＳＣＨ）を送信するためのリソース・ブロック（ＲＢ）のセットを識別することと、ここで、前記第２の基地局は、前記識別されたＲＢのセットを用いた送信を制限するようにスケジュールされる、
前記識別されたＲＢのセットの周囲の１または複数のガードＲＢを識別することと、
制限付きで送信される前記識別されたＲＢを用いて、または、前記識別されたＲＢを送信せずに、前記ガードＲＢにおいて、前記第１の基地局または前記第２の基地局のうちの何れかによって、前記ＰＤＳＣＨを送信することと、
のために１または複数のプロセッサによって実行可能である、
コンピュータ読取可能な記憶媒体。
【請求項３６】
少なくとも第１のセルの第１の基地局と第２のセルの第２の基地局とが周波数分割多重（ＦＤＭ）スキームによってリソース・ブロック（ＲＢ）を共有する無線通信ネットワークにおける無線通信のための、格納された命令群を有するコンピュータ読取可能な記憶媒体であって、
前記命令群は、
物理ダウンリンク共有チャネル（ＰＤＳＣＨ）を割り当てるためのリソース・ブロック（ＲＢ）のセットを、前記第１の基地局から受信することと、ここで、前記第２の基地局は、識別されたＲＢのセットを用いた送信を制限するようにスケジュールされる、
前記ＰＤＳＣＨのために割り当てられた前記ＲＢのセットのサブセットのみを用いて前記ＰＤＳＣＨを復号することと、ここで、前記サブセットは、前記ＰＤＳＣＨのために割り当てられた前記ＲＢのセットの何れかの端部に、１または複数のＲＢを含んでいない、
のために１または複数のプロセッサによって実行可能である、
コンピュータ読取可能な記憶媒体。
【手続補正２】
【補正対象書類名】明細書
【補正対象項目名】００６１
【補正方法】変更
【補正の内容】
【００６１】
ＴＤＭ分割を必要としないＳＩＢ１／ページング復号のためのその他のさまざまな解決策も利用されうる。このような解決策の例は、周波数分割多重（ＦＤＭ）方式でセル間のＳＩＢ１／ページング送信を直交させる技術を含みうる。図７Ａは、弱いセル−強いセルのシナリオにおけるＳＩＢ１／ページング直交化の例を例示する。例示するように、より弱いセルにおけるＰＤＳＣＨ送信のために使用されるＲＢ７０４のセットが、より強いセルにおけるＰＤＳＣＨ送信のために使用されるＲＢ７０２のセットとオーバラップしないように選択されうる。図７Ｂに例示されるように、オーバラップするＲＢの共通のセット７０６は、両方のセルによって利用されうる。そして、ＳＩＢ１／ページング送信は、セル間で衝突することが許容され、ＵＥは、これらを復号するために、ＩＣに依存するようにされる。しかしながら、このアプローチは、すべてのＵＥがＩＣ対応とは限らないシステムに制限されうる。
【手続補正３】
【補正対象書類名】明細書
【補正対象項目名】００９２
【補正方法】変更
【補正の内容】
【００９２】
本開示の前述した記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
なお、以下に、出願当初の特許請求の範囲に記載された発明を付記する。
［Ｃ１］少なくとも第１の基地局と第２の基地局とが周波数分割多重（ＦＤＭ）スキームによってリソース・ブロック（ＲＢ）を共有する無線通信ネットワークにおける無線通信のための方法であって、
物理ダウンリンク共有チャネル（ＰＤＳＣＨ）を送信するためのリソース・ブロック（ＲＢ）のセットを、前記第１の基地局によって識別することと、ここで、第２のセルの基地局は、前記識別されたＲＢのセットを用いた送信を制限するようにスケジュールされる、
前記識別されたＲＢのセットの周囲の１または複数のガードＲＢを識別することと、
制限付きで送信される前記識別されたＲＢを用いて、または、前記識別されたＲＢを送信せずに、前記ガードＲＢにおいて、前記第１の基地局または前記第２の基地局のうちの何れかによって、前記ＰＤＳＣＨを送信することと、
を備える方法。
［Ｃ２］前記無線通信ネットワークは、ヘテロジニアスなネットワークを備え、
第１のセルと第２のセルとは、異なる電力クラスのタイプからなる、
Ｃ１に記載の方法。
［Ｃ３］前記識別されたＲＢのセットは、局所的なリソース割当によって割り当てられ、
前記ガードＲＢは、前記識別されたＲＢのセットの各側に１または複数のＲＢを備える、
Ｃ１に記載の方法。
［Ｃ４］前記識別されたＲＢのセットは、分散されたリソース割当によって割り当てられ、
前記ガードＲＢは、前記識別されたＲＢのセットの１または複数の別の部位の各側に、１または複数のＲＢを備える、
Ｃ１に記載の方法。
［Ｃ５］前記ガードＲＢを識別するために、前記第２の基地局とネゴシエートすること、をさらに備えるＣ１に記載の方法。
［Ｃ６］基地局が前記ガードＲＢの数をＵＥへシグナルする必要がないように、ＰＤＳＣＨを送信する場合、前記ガードＲＢを使用することが必須とされる、Ｃ１に記載の方法。
［Ｃ７］ＵＥが、前記ＰＤＳＣＨを送信する場合に使用されるガードＲＢの存在または不在に基づいて、前記ＰＤＳＣＨを復号するために前記ＰＤＳＣＨのために割り当てられたＲＢのセットのすべてまたはサブセットを使用すべきかを判定する、Ｃ１に記載の方法。
［Ｃ８］ＵＥが、前記ＰＤＳＣＨを送信する場合に使用されるガードＲＢの存在または不在に基づいて、ブロードバンド・チャネル推定またはナローバンド・チャネル推定を使用するかを判定する、Ｃ１に記載の方法。
［Ｃ９］前記ガードＲＢの数は、ラジオ・リソース制御（ＲＲＣ）シグナリングによって設定可能である、Ｃ１に記載の方法。
［Ｃ１０］前記ガードＲＢの数は、前記識別されたＲＢのセットにおけるＲＢの数に依存する、Ｃ１に記載の方法。
［Ｃ１１］前記ＰＤＳＣＨを送信することは、システム情報ブロック（ＳＩＢ）、ページング・メッセージ、または応答メッセージｍｓｇ２のうちの少なくとも１つを送信することを備える、Ｃ１に記載の方法。
［Ｃ１２］少なくとも第１の基地局と第２の基地局とが周波数分割多重（ＦＤＭ）スキームによってリソース・ブロック（ＲＢ）を共有するシステムにおける無線通信のための方法であって、
物理ダウンリンク共有チャネル（ＰＤＳＣＨ）を割り当てるためのリソース・ブロック（ＲＢ）のセットを、前記第１の基地局から受信することと、ここで、第２のセルの基地局は、識別されたＲＢのセットを用いた送信を制限するようにスケジュールされる、
前記ＰＤＳＣＨのために割り当てられた前記ＲＢのセットのサブセットのみを用いて前記ＰＤＳＣＨを復号することと、ここで、前記サブセットは、前記ＰＤＳＣＨのために割り当てられた前記ＲＢのセットの何れかの端部に、１または複数のＲＢを含んでいない、
を備える方法。
［Ｃ１３］前記無線通信ネットワークは、ヘテロジニアスなネットワークを備え、
第１のセルと第２のセルとは、異なる電力クラスのタイプからなる、
Ｃ１２に記載の方法。
［Ｃ１４］前記ＰＤＳＣＨのために割り当てられたＲＢのセットのサブセットのみを用いて復号することを補償するために、増加された数のＲＢの割り当てを、基地局から受信すること、をさらに備えるＣ１２に記載の方法。
［Ｃ１５］前記ＰＤＳＣＨのために割り当てられたＲＢのセットのサブセットのみを用いて前記ＰＤＳＣＨを復号することは、前記ＰＤＳＣＨのために割り当てられたＲＢのセットの何れかの端部における１または複数のＲＢのためのログ尤度比（ＬＬＲ）をパンクチャすることを備える、Ｃ１２に記載の方法。
［Ｃ１６］前記ＰＤＳＣＨを送信する場合に使用されるガードＲＢの存在または不在に基づいて、前記ＰＤＳＣＨを復号するために前記ＰＤＳＣＨのために割り当てられたＲＢのセットのすべてまたはサブセットを使用すべきかを判定すること、をさらに備えるＣ１２に記載の方法。
［Ｃ１７］少なくとも第１の基地局と第２の基地局とが周波数分割多重（ＦＤＭ）スキームによってリソース・ブロック（ＲＢ）を共有する無線通信ネットワークにおける無線通信のための装置であって、
物理ダウンリンク共有チャネル（ＰＤＳＣＨ）を送信するためのリソース・ブロック（ＲＢ）のセットを、前記第１の基地局によって識別する手段と、ここで、第２のセルの基地局は、前記識別されたＲＢのセットを用いた送信を制限するようにスケジュールされる、
前記識別されたＲＢのセットの周囲の１または複数のガードＲＢを識別する手段と、
制限付きで送信される前記識別されたＲＢを用いて、または、前記識別されたＲＢを送信せずに、前記ガードＲＢにおいて、前記第１の基地局または前記第２の基地局のうちの何れかによって、前記ＰＤＳＣＨを送信する手段と、
を備える装置。
［Ｃ１８］前記無線通信ネットワークは、ヘテロジニアスなネットワークを備え、
第１のセルと第２のセルとは、異なる電力クラスのタイプからなる、
Ｃ１７に記載の装置。
［Ｃ１９］前記識別されたＲＢのセットは、局所的なリソース割当によって割り当てられ、
前記ガードＲＢは、前記識別されたＲＢのセットの各側に１または複数のＲＢを備える、
Ｃ１７に記載の装置。
［Ｃ２０］前記識別されたＲＢのセットは、分散されたリソース割当によって割り当てられ、
前記ガードＲＢは、前記識別されたＲＢのセットの１または複数の別の部位の各側に、１または複数のＲＢを備える、
Ｃ１７に記載の装置。
［Ｃ２１］前記ガードＲＢを識別するために、前記第２の基地局とネゴシエートする手段、をさらに備えるＣ１７に記載の装置。
［Ｃ２２］基地局が前記ガードＲＢの数をＵＥへシグナルする必要がないように、ＰＤＳＣＨを送信する場合、前記ガードＲＢを使用することが必須とされる、Ｃ１７に記載の装置。
［Ｃ２３］ＵＥが、前記ＰＤＳＣＨを送信する場合に使用されるガードＲＢの存在または不在に基づいて、前記ＰＤＳＣＨを復号するために前記ＰＤＳＣＨのために割り当てられたＲＢのセットのすべてまたはサブセットを使用すべきかを判定する、Ｃ１７に記載の装置。
［Ｃ２４］ＵＥが、前記ＰＤＳＣＨを送信する場合に使用されるガードＲＢの存在または不在に基づいて、ブロードバンド・チャネル推定またはナローバンド・チャネル推定を使用するかを判定する、Ｃ１７に記載の装置。
［Ｃ２５］前記ガードＲＢの数は、ラジオ・リソース制御（ＲＲＣ）シグナリングによって設定可能である、Ｃ１７に記載の装置。
［Ｃ２６］前記ガードＲＢの数は、前記識別されたＲＢのセットにおけるＲＢの数に依存する、Ｃ１７に記載の装置。
［Ｃ２７］前記ＰＤＳＣＨを送信する手段は、システム情報ブロック（ＳＩＢ）、ページング・メッセージ、または応答メッセージｍｓｇ２のうちの少なくとも１つを送信する手段を備える、Ｃ１７に記載の装置。
［Ｃ２８］少なくとも第１の基地局と第２の基地局とが周波数分割多重（ＦＤＭ）スキームによってリソース・ブロック（ＲＢ）を共有するシステムにおける無線通信のための装置であって、
物理ダウンリンク共有チャネル（ＰＤＳＣＨ）を割り当てるためのリソース・ブロック（ＲＢ）のセットを、前記第１の基地局から受信する手段と、ここで、第２のセルの基地局は、識別されたＲＢのセットを用いた送信を制限するようにスケジュールされる、
前記ＰＤＳＣＨのために割り当てられたＲＢのセットのサブセットのみを用いて前記ＰＤＳＣＨを復号する手段と、ここで、前記サブセットは、前記ＰＤＳＣＨのために割り当てられた前記ＲＢのセットの何れかの端部に、１または複数のＲＢを含んでいない、
を備える装置。
［Ｃ２９］前記無線通信ネットワークは、ヘテロジニアスなネットワークを備え、
第１のセルと第２のセルとは、異なる電力クラスのタイプからなる、
Ｃ２８に記載の装置。
［Ｃ３０］前記ＰＤＳＣＨのために割り当てられたＲＢのセットのサブセットのみを用いて復号することを補償するために、増加された数のＲＢの割り当てを、基地局から受信する手段、をさらに備えるＣ２８に記載の装置。
［Ｃ３１］前記ＰＤＳＣＨのために割り当てられたＲＢのセットのサブセットのみを用いて前記ＰＤＳＣＨを復号する手段は、前記ＰＤＳＣＨのために割り当てられたＲＢのセットの何れかの端部における１または複数のＲＢのためのログ尤度比（ＬＬＲ）をパンクチャする手段を備える、Ｃ２８に記載の装置。
［Ｃ３２］前記ＰＤＳＣＨを送信する場合に使用されるガードＲＢの存在または不在に基づいて、前記ＰＤＳＣＨを復号するために前記ＰＤＳＣＨのために割り当てられたＲＢのセットのすべてまたはサブセットを使用すべきかを判定する手段、をさらに備えるＣ２８に記載の装置。
［Ｃ３３］少なくとも第１の基地局と第２の基地局とが周波数分割多重（ＦＤＭ）スキームによってリソース・ブロック（ＲＢ）を共有する無線通信ネットワークにおける無線通信のための装置であって、
物理ダウンリンク共有チャネル（ＰＤＳＣＨ）を送信するためのリソース・ブロック（ＲＢ）のセットを、前記第１の基地局によって識別することと、ここで、第２のセルの基地局は、前記識別されたＲＢのセットを用いた送信を制限するようにスケジュールされる、
前記識別されたＲＢのセットの周囲の１または複数のガードＲＢを識別することと、
制限付きで送信される前記識別されたＲＢを用いて、または、前記識別されたＲＢを送信せずに、前記ガードＲＢにおいて、前記第１の基地局または前記第２の基地局のうちの何れかによって、前記ＰＤＳＣＨを送信することと、
を実行するように構成された少なくとも１つのプロセッサと、
前記少なくとも１つのプロセッサに接続されたメモリと、
を備える装置。
［Ｃ３４］少なくとも第１の基地局と第２の基地局とが周波数分割多重（ＦＤＭ）スキームによってリソース・ブロック（ＲＢ）を共有するシステムにおける無線通信のための装置であって、
物理ダウンリンク共有チャネル（ＰＤＳＣＨ）を割り当てるためのリソース・ブロック（ＲＢ）のセットを、前記第１の基地局から受信することと、ここで、第２のセルの基地局は、識別されたＲＢのセットを用いた送信を制限するようにスケジュールされる、
前記ＰＤＳＣＨのために割り当てられた前記ＲＢのセットのサブセットのみを用いて前記ＰＤＳＣＨを復号することと、ここで、前記サブセットは、前記ＰＤＳＣＨのために割り当てられたＲＢのセットの何れかの端部に、１または複数のＲＢを含んでいない、
を実行するように構成された少なくとも１つのプロセッサと、
前記少なくとも１つのプロセッサに接続されたメモリと、
を備える装置。
［Ｃ３５］少なくとも第１の基地局と第２の基地局とが周波数分割多重（ＦＤＭ）スキームによってリソース・ブロック（ＲＢ）を共有する無線通信ネットワークにおける無線通信のための、格納された命令群を有するコンピュータ読取可能な媒体を備えるコンピュータ・プログラム製品であって、
前記命令群は、
物理ダウンリンク共有チャネル（ＰＤＳＣＨ）を送信するためのリソース・ブロック（ＲＢ）のセットを、前記第１の基地局によって識別することと、ここで、第２のセルの基地局は、前記識別されたＲＢのセットを用いた送信を制限するようにスケジュールされる、
前記識別されたＲＢのセットの周囲の１または複数のガードＲＢを識別することと、
制限付きで送信される前記識別されたＲＢを用いて、または、前記識別されたＲＢを送信せずに、前記ガードＲＢにおいて、前記第１の基地局または前記第２の基地局のうちの何れかによって、前記ＰＤＳＣＨを送信することと、
のために１または複数のプロセッサによって実行可能である、
コンピュータ・プログラム製品。
［Ｃ３６］少なくとも第１の基地局と第２の基地局とが周波数分割多重（ＦＤＭ）スキームによってリソース・ブロック（ＲＢ）を共有する無線通信ネットワークにおける無線通信のための、格納された命令群を有するコンピュータ読取可能な媒体を備えるコンピュータ・プログラム製品であって、
前記命令群は、
物理ダウンリンク共有チャネル（ＰＤＳＣＨ）を割り当てるためのリソース・ブロック（ＲＢ）のセットを、前記第１の基地局から受信することと、ここで、第２のセルの基地局は、識別されたＲＢのセットを用いた送信を制限するようにスケジュールされる、
前記ＰＤＳＣＨのために割り当てられた前記ＲＢのセットのサブセットのみを用いて前記ＰＤＳＣＨを復号することと、ここで、前記サブセットは、前記ＰＤＳＣＨのために割り当てられた前記ＲＢのセットの何れかの端部に、１または複数のＲＢを含んでいない、
のために１または複数のプロセッサによって実行可能である、
コンピュータ・プログラム製品。
【外国語明細書】
2014180037000001.pdf